(57)【要約】  コネクタ組立体が、アダプタ（６５０）と、ハウジング（６１１）と、フェルール（６１７Ｂ）と、センサ（６３０）とを含む。ハウジング（６１１）は、アダプタ（６５０）によって受け、内腔（６１３）を有する。フェルール（６１７Ｂ）は、ハウジング（６１１）の内腔（６１３）内で平行移動可能である。センサ（６３０）は、ハウジング（６１１）上に、またはアダプタ（６５０）上に装着される。センサ（６３０）は、フェルール（６１７Ｂ）の平行移動を検知するように構成される。センサ（６３０）の電気的特性が、所定の位置までのフェルール（６１７Ｂ）の平行移動を示すように変化する。
2018525663.tif 000002
【特許請求の範囲】
【請求項１】
エネルギー伝達相手側コネクタと嵌合するためのエネルギー伝達コネクタであって、
前記相手側コネクタを受ける寸法にされたソケットと、
前記ソケットに装着されたセンサであって、前記相手側コネクタを前記ソケット内の所定の位置において受けたとき、前記センサが、前記ソケット内の前記所定の位置における前記相手側コネクタの受領を検知し、前記相手側コネクタを前記所定の位置において受けたことを示すために電気信号を生成するか、または生成することを停止するかのいずれかをする、センサとを備える、エネルギー伝達コネクタ。
【請求項２】
前記エネルギー伝達コネクタが、エネルギー信号伝達コネクタである、請求項１に記載のエネルギー伝達コネクタ。
【請求項３】
前記エネルギー信号伝達コネクタが、光ファイバまたは導電性素子を保持するための光または電気コネクタである、請求項２に記載のエネルギー伝達コネクタ。
【請求項４】
前記相手側コネクタを前記所定の位置において受け、前記光ファイバまたは導電性素子を保持しているとき、前記光ファイバまたは導電性素子が、前記エネルギー伝達コネクタ内の所定の整合位置にある、請求項３に記載のエネルギー伝達コネクタ。
【請求項５】
前記センサは、
前記相手側コネクタを前記ソケット内の前記所定の位置において受けたとき、電気スイッチにより、前記電気信号を生成するか、または生成することを停止するかのいずれかをして、前記相手側コネクタを前記所定の位置において受けたことを示すために、前記電気スイッチが前記相手側コネクタによって接触されるように構成された、
前記電気スイッチである、請求項１に記載のエネルギー伝達コネクタ。
【請求項６】
前記センサが電気光学センサである、請求項１に記載のエネルギー伝達コネクタ。
【請求項７】
請求項１に記載のエネルギー伝達コネクタと、
前記相手側コネクタとを備える、エネルギー伝達コネクタ組立体。
【請求項８】
内腔を有するハウジングと、
前記ハウジングの前記内腔内で平行移動可能なフェルールと、
前記ハウジングの前記内腔内に装着され、前記フェルールの平行移動を検知するように構成されたセンサであって、前記センサの電気的特性が、所定の位置への前記フェルールの平行移動を示すように変化する、センサとを備える、コネクタ組立体。
【請求項９】
前記センサは、前記プローブが前記フェルールとの接触の間、前記フェルールとともに平行移動するように、前記フェルールの平行移動の間、前記フェルールに接触するように構成されたプローブを含み、
前記センサの前記電気的特性は、前記プローブの前記平行移動に応じて前記フェルールが前記所定の位置まで平行移動したことを示すように変化する、請求項８に記載のコネクタ組立体。
【請求項１０】
前記センサは、圧力または変位センサである、請求項９に記載のコネクタ組立体。
【請求項１１】
前記フェルールに当接した弾性素子をさらに備え、前記センサが、前記フェルールの平行移動の間、前記弾性素子の長さの変化を検知する、請求項８に記載のコネクタ組立体。
【請求項１２】
前記フェルール中を通過する一部分を有する光ファイバをさらに備え、前記フェルールが、通過する前記光ファイバの前記一部分の位置を維持する、請求項８に記載のコネクタ組立体。
【請求項１３】
ケーブルの長さに沿って位置決めされた第２のセンサを含む前記ケーブルをさらに備え、前記第２のセンサの電気的特性が、上に前記第２のセンサが位置する前記ケーブルの表面が変形したとき変化する、請求項８に記載のコネクタ組立体。
【請求項１４】
警告信号が、前記第２のセンサの電気的特性の変化に対応する電気信号が遠隔電子デバイスに伝導され、少なくとも最小値を有するとき、前記遠隔電子デバイスによって生成される、請求項１３に記載のコネクタ組立体。
【請求項１５】
前記センサが、
前記ハウジングに装着された第１の導電性接点と、
前記フェルールに装着された第２の導電性接点とを備え、
前記フェルールが平行移動の第１の位置にあるとき、前記第２の導電性接点が、前記第１の接点と導電結合され、前記フェルールが平行移動の第２の位置にあるとき、前記第２の導電性接点が前記第１の接点と導電結合されない、請求項８に記載のコネクタ組立体。
【請求項１６】
制御信号を周辺構成要素に提供するように構成された回路と、
請求項１５に記載のコネクタ組立体であって、前記第１の接点と前記第２の接点とが導電結合されたとき、前記回路が前記制御信号を前記周辺構成要素に提供することを停止するように、前記第２の接点が、前記フェルールの端部上に装着される、コネクタ組立体とを備える、システム。
【請求項１７】
制御信号を周辺構成要素に提供するように構成された回路と、
請求項１５に記載のコネクタ組立体であって、前記第１の接点と第２の接点とが導電結合されたとき、前記回路が前記制御信号を前記周辺構成要素に提供するように、前記第２の接点が、前記フェルールの端部上に装着される、コネクタ組立体とを備える、システム。
【請求項１８】
アダプタと、
前記アダプタによって受け、内腔を有するハウジングと、
前記ハウジングの前記内腔内で平行移動可能なフェルールと、
前記ハウジング上または前記アダプタ上に装着されたセンサであって、前記フェルールの平行移動を検知するように構成され、センサの電気的特性が、前記フェルールの所定の位置までの平行移動を示すように変化する、センサとを備える、コネクタ組立体。
【請求項１９】
（ｉ）前記センサを前記ハウジング上に装着したとき前記アダプタに対して、または（ｉｉ）前記センサを前記アダプタ上に装着したとき前記ハウジングとともにプローブが平行移動するように、前記センサが、（ｉ）前記センサを前記ハウジング上に装着したとき前記アダプタに、または（ｉｉ）前記センサを前記アダプタ上に装着したとき前記ハウジングに接触するように構成された前記プローブを含み、前記センサの前記電気的特性が、前記プローブの平行移動に応じて前記フェルールが前記所定の位置まで平行移動したことを示すように変化する、請求項１８に記載のコネクタ組立体。
【請求項２０】
前記センサが、変位センサまたは圧力センサである、請求項１８に記載のコネクタ組立体。
【請求項２１】
前記ハウジングから延びる突起をさらに備え、（ｉ）前記センサを前記ハウジング上に装着するとき前記センサが前記突起上に装着され、または（ｉｉ）前記センサを前記アダプタ上に装着するとき前記プローブが前記突起に接触するように構成される、請求項１８に記載のコネクタ組立体。
【請求項２２】
前記ハウジングが、本体と前記本体から延びる突起とを含み、前記センサが、前記本体と前記本体および前記突起のいずれかの上の前記突起との間に装着され、（ａ）前記センサを前記本体上に装着したとき前記突起とともに、または（ｂ）前記センサを前記突起上に装着したとき前記本体に対して、前記プローブが平行移動するように、前記センサが、（ｉ）前記センサを本体上に装着するとき前記突起、または（ｉｉ）前記センサを前記突起上に装着するとき前記本体に接触するように構成されたプローブを含み、前記センサの前記電気的特性が、前記プローブの前記平行移動に応じて前記フェルールが前記所定の位置まで平行移動したことを示すように変化する、請求項１８に記載のコネクタ組立体。
【請求項２３】
前記突起が、前記センサが前記本体上にあるとき、前記本体に蝶番式に接続される、請求項２２に記載のコネクタ組立体。
【請求項２４】
前記突起が、前記本体と一体である、請求項２２に記載のコネクタ組立体。
【請求項２５】
前記ハウジングから延びる突起をさらに備え、（ｉ）前記センサを前記ハウジング上に装着するとき前記センサが前記突起上に装着され、または（ｉｉ）前記センサを前記アダプタ上に装着するとき前記センサが前記突起に接触するように構成され、前記フェルールの最小距離の平行移動の間、（ｉ）前記センサを前記ハウジング上に装着したとき前記センサが前記アダプタからの力によって押圧され、または（ｉｉ）前記センサを前記アダプタ上に装着したとき前記突起が前記センサに対して力によって押圧され、前記センサの前記電気的特性が、前記センサに作用する前記力に応じて前記所定の位置まで前記フェルールが平行移動したことを示すように変化する、請求項１８に記載のコネクタ組立体。
【請求項２６】
前記ハウジングが、本体と前記本体から延びる突起とを含み、前記センサが、前記本体と前記本体および前記突起のいずれかの上の前記突起との間に装着され、（ｉ）前記センサを前記突起上に装着するとき前記センサが前記本体に接触するように構成され、または（ｉｉ）前記センサを前記本体上に装着するとき前記センサが前記突起に接触するように構成され、前記フェルールの最小距離の平行移動の間、（ｉ）前記センサを前記突起上に装着したとき前記センサが前記本体に対して力によって押圧され、または（ｉｉ）前記センサを前記本体上に装着したとき前記突起が前記センサに対して力によって押圧され、前記センサの前記電気的特性が、前記センサに作用する前記力に応じて前記フェルールが前記所定の位置まで平行移動したことを示すように変化する、請求項１８に記載のコネクタ組立体。
【請求項２７】
前記突起が、前記センサが前記本体上にあるとき、前記本体に蝶番式に接続される、請求項２６に記載のコネクタ組立体。
【請求項２８】
前記突起が前記本体と一体である、請求項２６に記載のコネクタ組立体。
【請求項２９】
エネルギー伝達相手側コネクタと嵌合するためのエネルギー伝達コネクタ組立体であって、
前記相手側コネクタを受ける寸法にされたソケットと、
前記ソケットと結合するように構成された枠に装着されたセンサであって、前記枠が、前記ソケットに結合され、前記相手側コネクタを前記ソケット内の所定の位置において受けたとき、前記センサが、前記ソケットを通して、前記ソケット内の前記所定の位置における前記相手側コネクタの受領を検知し、前記相手側コネクタを前記所定の位置において受けたことを示すために電気信号を生成するか、または生成することを停止するかのいずれかをする、センサとを備える、エネルギー伝達コネクタ組立体。
【発明の詳細な説明】
【技術分野】
【０００１】
［関連出願の相互参照］
本出願は、参照によりそのすべての開示が本明細書に組み込まれている、２０１５年７月１日に出願した米国仮特許出願第６２／１８７，６７３号、２０１５年８月２１日に出願した米国仮特許出願第６２／２０８，４４３号、２０１５年９月１７日出願した米国仮特許出願第６２／２２０，１２０号、２０１５年１２月２２日に出願した米国仮特許出願第６２／２７１，０４９号、および２０１６年５月１９日に出願した米国仮特許出願第６２／３３８，６９７号の出願日の利益を主張する。
【０００２】
［発明の分野］
本技術は、一般に光および電気コネクタに関し、詳細にはそのようなデバイスの接続の検知に関する。
【背景技術】
【０００３】
光ファイバおよび電線は、それぞれの接続された光ファイバと電線との間で信号を伝送するためにそれぞれの対向する光ファイバおよび電線に光学的にまたは電気的に接続され、それはデータ記憶および伝送デバイスの動作の際に行われることがある。それぞれの対向する光ファイバおよび電線は、それらの端部においてコネクタによって保持される。それぞれの対向する光ファイバと電線との間の接続を確立するために、それぞれの対向する光ファイバおよび電線は、互いに取り付けられ、または両方ともアダプタに取り付けられる。
【０００４】
それぞれの光ファイバコネクタと電線コネクタとの間の接続は、電線コネクタおよびそれによって保持される線がしばしば配線用ハーネスと呼ばれ、光ファイバの「ＬＣコネクタ」の場合のように、しばしばクリックツーロック構成を使用して行われる。この構成により、コネクタが互いにまたは対応するアダプタに接続されているとき、コネクタの引き抜けが防止され、また、コネクタを互いにまたは対応するアダプタに取り付けるユーザに対して引き抜けが防止されている完全接続が行われたと知らせるために触覚フィードバックが提供される。
【０００５】
時には、ユーザによって検知されないことがある、コネクタ間の、またはコネクタとアダプタとの間の不完全な接続が行われる。さらに、コネクタの使用により引き起こされた疲労または他のストレスにより、コネクタ間の、またはコネクタとアダプタとの間の機械的接続が弱まり、接続が中断され、または不十分となることがある。そのような不十分なまたは中断された接続により、システム性能が低減され、または完全なシステム故障さえ生じてしまう。
【０００６】
したがって、適切なそれぞれの光ファイバおよび電気配線接続が行われ、維持されていることを検知することが必要とされる。
【発明の概要】
【０００７】
本技術の態様によれば、コネクタが、相手側コネクタを受けるためのソケットと、ソケットに装着された電気スイッチとを含むことができる。コネクタおよび相手側コネクタは、相手側光または電気コネクタでよいが、それであることに限定されない。相手側コネクタをソケット内の所定の位置において受けるとき、電気スイッチは、相手側コネクタを所定の位置において受けたことを示すために電気信号を生成するか、または生成することを停止するかのいずれかをすることができる。
【０００８】
本技術の別の態様によれば、エネルギー伝達コネクタ組立体が、エネルギー伝達コネクタと、エネルギー伝達コネクタと嵌合するための相手側コネクタとを含むことができる。そのようなエネルギー伝達コネクタは、相手側コネクタを受ける寸法にすることができるソケットと、ソケットに装着することができる電気スイッチとを含むことができる。相手側コネクタをソケット内の所定の位置において受けたとき、電気スイッチは、相手側コネクタを所定の位置において受けたことを示すために電気信号を生成するか、または生成することを停止するかのいずれかをすることができる。
【０００９】
いくつかの構成において、エネルギー伝達コネクタは、光ファイバまたは導電性素子を保持するための光または電気コネクタでよい。このようにして、いくつかのそのような構成において、相手側コネクタを所定の位置において受け、光ファイバまたは導電性素子を保持しているとき、光ファイバまたは導電性素子は、エネルギー伝達コネクタ内の所定の整合位置にあることができる。
【００１０】
本技術の別の態様によれば、エネルギー伝達コネクタが、エネルギー伝達コネクタと嵌合するための相手側コネクタを受ける寸法にすることができるソケットと、センサとを含むことができる。センサはソケットに装着することができる。相手側コネクタをソケット内の所定の位置において受けたとき、センサは、ソケット内の所定の位置における相手側コネクタの受領を検知し、相手側コネクタを所定の位置において受けたことを示すために電気信号を生成するか、または生成することを停止するかのいずれかをすることができる。
【００１１】
いくつかの構成において、エネルギー伝達コネクタは、エネルギー信号伝達コネクタでよい。いくつかのそのような構成において、エネルギー信号伝達コネクタは、データに対応する光信号を伝達するそれぞれの光ファイバまたはデータに対応する電気信号を伝達する導電性素子を保持するための光または電気信号伝達コネクタでよい。そのようなデータは、データセンターにおいて見出すことができるような機器を含むがそれに限定されない、ネットワークまたはサーバ機器に、またはネットワークまたはサーバ機器から転送されたデータでよい。
【００１２】
いくつかのそのような構成において、エネルギー信号伝達コネクタは、光ファイバまたは導電性素子を保持するための光または電気コネクタでよい。このようにして、いくつかのそのような構成において、相手側コネクタを所定の位置において受け、光ファイバまたは導電性素子を保持しているとき、光ファイバまたは導電性素子は、エネルギー伝達コネクタ内の所定の整合位置にあることができる。
【００１３】
いくつかの構成において、センサは電気光学センサでよい。電気光学センサは、位置センサによって送信された光を物体が遮断したとき信号を生成する位置センサ、または物体が光電センサからである距離を少なくとも検知し、物体の有無を検知する光電センサでよいが、それであることに限定されない。
【００１４】
いくつかの構成において、センサは電気スイッチでよい。このようにして、相手側コネクタをソケット内の所定の位置において受けたとき、電気スイッチは、相手側コネクタによって接触されて、相手側コネクタを所定の位置において受けたことを示すために電気スイッチにより電気信号を生成するか、または生成することを停止するかのいずれかをすることができる。
【００１５】
本技術の別の態様によれば、エネルギー伝達コネクタ組立体が、エネルギー伝達コネクタと、エネルギー伝達コネクタと嵌合するための相手側コネクタとを含むことができる。そのようなエネルギー伝達コネクタは、相手側コネクタを受ける寸法にすることができるソケットと、ソケットに装着することができるセンサとを含むことができる。相手側コネクタをソケット内の所定の位置において受けたとき、センサは、ソケット内の所定の位置における相手側コネクタの受領を検知し、相手側コネクタを所定の位置において受けたことを示すために電気信号を生成するか、または生成することを停止するかのいずれかをすることができる。
【００１６】
いくつかの構成において、エネルギー伝達コネクタは、光ファイバまたは導電性素子を保持するための光または電気コネクタでよい。このようにして、いくつかのそのような構成において、相手側コネクタを所定の位置において受け、光ファイバまたは導電性素子を保持しているとき、光ファイバまたは導電性素子は、エネルギー伝達コネクタ内の所定の整合位置にあることができる。
【００１７】
本技術の別の態様によれば、エネルギー伝達コネクタ組立体は、エネルギー伝達コネクタと嵌合するために相手側コネクタを受ける寸法にされたソケットと、ソケットと結合するように構成された枠に装着されたセンサとを含むことができる。枠がソケットに結合され、相手側コネクタをソケット内の所定の位置において受けたとき、センサは、ソケット内の所定の位置における相手側コネクタの受領を検知し、相手側コネクタを所定の位置において受けたことを示すために電気信号を生成するか、または生成することを停止するかのいずれかをすることができる。
【００１８】
いくつかの構成において、エネルギー伝達コネクタは、光ファイバまたは導電性素子を保持するための光または電気コネクタでよい。このようにして、いくつかのそのような構成において、相手側コネクタを所定の位置において受け、光ファイバまたは導電性素子を保持しているとき、光ファイバまたは導電性素子は、エネルギー伝達コネクタ内の所定の整合位置にあることができる。
【００１９】
いくつかの構成において、センサは、ソケットを通してソケット内の所定の位置における相手側コネクタの受領を検知する。
【００２０】
本技術の別の態様によれば、コネクタ組立体が、ハウジングと、フェルールと、センサとを含むことができる。ハウジングは内腔を有することができる。フェルールは、ハウジングの内腔内で平行移動可能であり得る。センサは、ハウジングの内腔に装着することができ、フェルールの平行移動を検知するように構成することができる。フェルールをそのように検知し次第、センサの電気的特性が、所定の位置までのフェルールの平行移動を示すように変化することができる。
【００２１】
いくつかの構成において、センサは、フェルールの平行移動の間、フェルールに接触するように構成することができるプローブを含むことができる。このようにして、プローブは、フェルールに接触している間、フェルールとともに平行移動することができ、センサの電気的特性は、プローブの平行移動に応じてフェルールが所定の位置まで平行移動したことを示すように変化することができる。そのようなプローブは、静止位置から引っ込む引き込み式プローブでよい。
【００２２】
いくつかの構成において、センサは圧力または変位センサでよい。
【００２３】
いくつかの構成において、コネクタ組立体は、フェルールに当接することができる弾性素子を含むことができる。そのような構成において、センサは、フェルールの平行移動の間、弾性素子の長さの変化を検知することができる。
【００２４】
いくつかの構成において、コネクタ組立体は、フェルール中を通過する一部分を有する光ファイバを含むことができる。そのような構成において、フェルールは、フェルール中を通過する光ファイバの一部分の位置を維持することができる。
【００２５】
いくつかの構成において、コネクタ組立体はケーブルを含むことができる。ケーブルは、ケーブルの長さに沿って位置決めすることができる第２のセンサを含むことができる。そのような構成において、上に第２のセンサが位置するケーブルの表面が変形したとき、第２のセンサの電気的特性が変化することができる。いくつかのそのような構成において、第２のセンサの電気的特性の変化に対応する電気信号が遠隔電子デバイスに伝導され、少なくとも最小値を有するとき、遠隔電子デバイスによって警告信号を生成することができる。
【００２６】
本技術の別の態様によれば、コネクタ組立体が、ハウジングと、フェルールと、第１および第２の導電性接点とを含むことができる。ハウジングは内腔を有することができる。フェルールは、ハウジングの内腔内で平行移動可能であり得る。第１の導電性接点はハウジングに装着することができる。第２の導電性接点はフェルールに装着することができる。第２の導電性接点は、フェルールの平行移動の間、第１の位置と第２の位置との間で移動可能であり得る。第２の導電性接点は、フェルールが平行移動の第１の位置にあるとき第１の導電性接点と導電結合することができ、第２の導電性接点は、フェルールが平行移動の第２の位置にあるとき第１の導電性接点と導電結合しない可能性がある。
【００２７】
本技術の別の態様によれば、システムが、回路と、ハウジングと、フェルールと、第１および第２の導電性接点とを含むことができる。回路は、制御信号を周辺構成要素に提供するように構成することができる。ハウジングは内腔を有することができる。フェルールは、ハウジングの内腔内で平行移動可能であり得る。第１の導電性接点はハウジングに装着することができる。第２の導電性接点は、フェルールの端部上でフェルールに装着することができる。第２の導電性接点は、フェルールの平行移動の間、第１の位置と第２の位置との間で移動可能であり得る。第２の導電性接点は、フェルールが平行移動の第１の位置にあるとき、第１の導電性接点と導電結合することができ、第２の導電性接点は、フェルールが平行移動の第２の位置にあるとき、第１の導電性接点と導電結合しない可能性がある。
【００２８】
いくつかの構成において、回路は論理回路でよく、いくつかのそのような構成において、システムは論理システムでよい。
【００２９】
いくつかの構成において、第１の導電性接点と第２の導電性接点とが導電結合されたとき、回路は、制御信号を周辺構成要素に提供しない可能性がある。
【００３０】
いくつかの構成において、第１の導電性接点と第２の導電性接点とが導電結合されたとき、回路は、制御信号を周辺構成要素に提供することができる。
【００３１】
本技術の別の態様によれば、コネクタ組立体が、アダプタと、ハウジングと、フェルールと、センサとを含むことができる。ハウジングは、アダプタによって受けることができ、内腔を有することができる。フェルールは、ハウジングの内腔内で平行移動可能であり得る。センサは、ハウジング上に、またはアダプタ上に装着することができる。センサは、フェルールの平行移動を検知するように構成することができる。センサの電気的特性が、所定の位置までのフェルールの平行移動を示すように変化することができる。
【００３２】
いくつかの構成において、センサは、ハウジングの壁の外部部分上に装着することができ、それにおいて、壁がハウジングの内腔を画定し、外部部分が内腔からの壁の反対側にある。
【００３３】
いくつかの構成において、センサは、センサをハウジング上に装着したときアダプタに、またはセンサをアダプタ上に装着したときハウジングに接触するように構成することができるプローブを含むことができる。このようにして、プローブは、センサをハウジング上に装着したときアダプタに対して、またはセンサをアダプタ上に装着したときにハウジングとともに平行移動する、または平行移動される可能性がある。そのようなプローブの平行移動は、そのようなプローブのそれぞれのアダプタまたはハウジングとの接触の間、フェルールの平行移動に比例することができる。センサの電気的特性は、プローブの平行移動に応じてフェルールが所定の位置まで平行移動したことを示すように変化することができる。
【００３４】
いくつかの構成において、センサは変位センサでよい。いくつかの他の構成において、センサは圧力センサでよい。
【００３５】
いくつかの構成において、コネクタ組立体は、ハウジングから延びることができる突起をさらに含むことができる。いくつかのそのような構成において、センサは、センサをハウジング上に装着するとき突起上に装着することができ、または、プローブは、センサをアダプタ上に装着するとき突起に接触するように構成することができる。
【００３６】
いくつかの構成において、ハウジングは、本体と、本体から延びることができる突起とを含むことができる。センサは、本体と、本体および突起のいずれかの上の突起との間に装着することができる。センサは、センサを本体上に装着するとき突起に、またはセンサを突起上に装着するとき本体に接触するように構成することができるプローブを含むことができる。このようにして、プローブは、センサを本体上に装着したとき突起とともに、またはセンサを突起上に装着したとき本体に対して平行移動する、または平行移動される可能性がある。そのようなプローブの平行移動は、それぞれの突起または本体とのそのような接触の間、フェルールの平行移動に比例することができる。センサの電気的特性は、プローブの平行移動に応じてフェルールが所定の位置まで平行移動したことを示すように変化することができる。
【００３７】
いくつかのそのような構成において、突起は、センサが本体上にあるとき、本体に蝶番式に接続することができる。いくつかの他のそのような構成において、突起は本体と一体でよい。
【００３８】
いくつかの構成において、コネクタ組立体は、ハウジングから延びることができる突起をさらに含むことができる。センサは、センサをハウジング上に装着するとき突起上に装着することができ、または、センサは、センサをアダプタ上に装着するとき突起に接触するように構成することができる。フェルールの最小距離の平行移動の間、センサは、センサをハウジング上に装着したときアダプタからの力によって押圧することができ、または、突起は、センサをアダプタ上に装着したときセンサに対して力によって押圧することができる。センサの電気的特性は、センサに作用する力に応じてフェルールが所定の位置まで平行移動したことを示すように変化することができる。
【００３９】
いくつかの構成において、ハウジングは、本体と、本体から延びる突起とを含むことができる。センサは、本体と突起との間で本体と突起のいずれかの上に装着することができる。センサは、センサを突起上に装着するとき本体に接触するように構成することができ、または、センサは、センサを本体上に装着するとき突起に接触するように構成することができる。フェルールの最小距離の平行移動の間、センサは、センサを突起上に装着したとき本体に対して力によって押圧することができ、または、突起は、センサを本体上に装着したときセンサに対して力によって押圧することができる。センサの電気的特性は、センサに作用する力に応じてフェルールが所定の位置まで平行移動したことを示すように変化することができる。
【００４０】
いくつかのそのような構成において、突起は、センサが本体上にあるとき、本体に蝶番式に接続することができる。いくつかの他のそのような構成において、突起は本体と一体でよい。
【００４１】
本発明の主題およびその様々な利点のより完全な理解は、以下の添付の図面を参照する以下の詳細な説明の参照によって実現することができる。
【図面の簡単な説明】
【００４２】
【図１】光学組立体の雄型コネクタと雌型コネクタ組立体とを組み立てる前の本技術による光学組立体の透視断面図である。
【図２】光学組立体の雄型コネクタと雌型コネクタ組立体とを組み立てた後の図１の光学組立体の透視断面図である。
【図３】光学組立体の雄型コネクタと雌型コネクタ組立体とを組み立てる前の本技術による光学組立体の透視図である。
【図４】光学組立体の雄型コネクタと雌型コネクタ組立体とを組み立てた後の図３の光学組立体の透視図である。
【図５】図３に示す雌型コネクタ組立体の部分分解図である。
【図６】図３に示す雌型コネクタ組立体の透視図である。
【図７】本技術による光学組立体の透視図である。
【図８】本技術による光学組立体の一部分の分解図である。
【図９】本技術による光学組立体の一部分の透視図である。
【図１０Ａ】本技術による光学組立体の側断面図である。
【図１０Ｂ】本技術による光学組立体の側断面図である。
【図１１】本技術による光学組立体の側断面図である。
【図１２Ａ】本技術による光学組立体用のコネクタ組立体の側断面図である。
【図１２Ｂ】本技術による光学組立体用のコネクタ組立体の側断面図である。
【図１２Ｃ】本技術による光学組立体用のコネクタ組立体の側断面図である。
【図１３】本技術によるそれぞれの光学組立体用のコネクタ組立体の側断面図である。
【図１４】本技術によるそれぞれの光学組立体用のコネクタ組立体の側断面図である。
【図１５】本技術による、分離状態および接続状態の両方における光学組立体の側断面図である。
【図１６】本技術による、分離状態および接続状態の両方における光学組立体の側断面図である。
【図１７】本技術による光学組立体用のコネクタ組立体の側断面図である。
【図１８】本技術による光学組立体用の分離状態および接続状態の両方におけるコネクタ組立体の側断面図である。
【図１９】本技術による、分離状態および接続状態の両方における、それぞれの光学組立体の側断面図である。
【図２０】本技術による、分離状態および接続状態の両方における、それぞれの光学組立体の側断面図である。
【図２１】本技術による分離状態の光学組立体の側断面図である。
【図２１Ａ】図２１に示す光学組立体の、図２１の２１Ａ−２１Ａ線に沿った断面後方図である。
【図２１Ｂ】図２１に示す光学組立体の、図２１の２１Ｂ−２１Ｂ線に沿った断面後方図である。
【図２２】本技術による分離状態の光学組立体の側断面図である。
【図２２Ａ】図２２に示す光学組立体の、図２２の２２Ａ−２２Ａ線に沿った断面後方図である。
【図２３】本技術による接続状態の光学組立体の側断面図である。
【図２４】本技術による接続状態の光学組立体の側断面図である。
【図２５】本技術を適合させることができるコネクタ組立体を有するネットワーク構成要素の透視図である。
【発明を実施するための形態】
【００４３】
図１および２を参照すると、１つの光ファイバから別の光ファイバへの光信号の伝達を容易にするための例示的なエネルギー信号伝達組立体として光学組立体１００が、雌型コネクタ組立体１１０と雄型コネクタ１４０とを含むことができ、図示するようにそれらは、「ＬＣコネクタ」などの光ファイバの整合のためのコネクタでよい。雌型コネクタ組立体１１０は、第１のソケット１１２が光ファイバ構成要素（図示せず）を受けることができ、第２のソケット１１４が雄型コネクタ１４０の相手側端部１４１を受けることができる、第１のソケット１１２と、第１のソケット１１２に対向し、第１のソケット１１２と壁を共有する第２のソケット１１４とを含むことができる。雌型コネクタ組立体１１０は、複数の光ファイバ構成要素および雄型コネクタ１４０を受けるために、図示する例におけるように、第１および第２のソケット１１２、１１４の複数の組を含むことができる。
【００４４】
雌型コネクタ組立体１１０は、図示するように、第２のソケット１１４内の表面上に装着することができるスイッチ１３０をさらに含むことができる。スイッチ１３０は、モジュールベース１３２とトリガ１３４とを有するトグル型スイッチとして示す。しかし、押しボタンスイッチおよび磁気作動スイッチまたは他の機械的接触スイッチを含むがそれらに限定されない他のスイッチをトグル型スイッチの代わりに使用することができる。
【００４５】
雌型コネクタ組立体１１０は、雌型コネクタ組立体１１０の第２のソケット１１４が相手側端部を受けるとき、雄型コネクタ１４０の相手側端部１４１から延びる雄型突起１４２を受けるための内腔１１８を画定する雌型突起１１６を含むことができる。図２に最もよく示すように、雄型突起１４２を雌型突起１１６内で受けたとき、雌型突起は、雄型コネクタ１４０の凹部１４４内で受けることができる。雄型突起１４２と雌型突起１１６との相互接続により、雄型コネクタ１４０の雄型突起１４２の内腔１４５内に延びる光ファイバ１８０は、前に本明細書に説明した第１のソケット１１２内に受けることができる光ファイバ構成要素内の光ファイバの端部と整合させるために雌型コネクタ組立体１１０に位置決めすることができる。図示する例におけるように、雌型コネクタ組立体１１０は、光ファイバ構成要素の相手側端部から延びる雄型突起を受けるための内腔を画定する第２の雌型突起１１９を含むことができ、光ファイバ構成要素の相手側端部を通って、光ファイバ構成要素の光ファイバが光ファイバ１８０との整合のために延びることができる。
【００４６】
雄型コネクタ１４０は、相手側端部１４１から延びる下部クリップ１４６と、雄型コネクタ１４０の前部１４９から延びる上部クリップ１４８とを含むことができる。上部クリップ１４８は、雄型コネクタの残りの部分から離れる方向に下部クリップ１４６の移動を制限し、ならびに下部クリップの望ましくない屈曲から保護する障壁を提供するように動作することができる。下部クリップ１４６は、雄型コネクタ１４０を雌型コネクタ１１０の第２のソケット１１４内に受けたとき、後面がスイッチ１３０のトリガ１３４に接触して、トリガに後方に移動させるようにすることができるように後面１５０を含むことができる。図示するように、スイッチ１３０は、雄型コネクタ１４０が所定の挿入距離に到達したとき、トリガ１３４が常時開接点を閉じ、または代替として常時閉接点を開く位置まで移動されるように第２のソケット１１４内に位置決めすることができる。このようにして、スイッチ１３０は、ライトパネル（図示せず）などの遠隔電子デバイスに伝達することができる電気信号などであるが、それに限定されない信号を生成することができ、または電子デバイスに結合された信号受信機に経路指定するための信号を生成および送信することができ、または代替として、雄型コネクタ１４０を雌型コネクタ１１０内に適切に受けたとの指示を提供するためにスイッチが開いているとき、電気信号などであるが、それに限定されない信号を生成または送信することを停止することができる。いくつかの構成において、そのようなスイッチは、スイッチを閉じたとき変化することができる抵抗、容量、またはインダクタンスなどの可変電気的特性を有することができる。そのような構成において、スイッチ内の抵抗、容量、またはインダクタンスの変化は、電気的特性の変化に対応し、線を介してなど、または信号伝達手段のようにスイッチから伝達された電気信号を受信する遠隔受信機によって認識することができる。
【００４７】
いくつかの構成において、スイッチ１３０は、第２のソケット１１４の一部分内に延びる線に接続することができ、他の構成において、スイッチ１３０は、スイッチに隣接した導電性端子（図示せず）と接触することができる。さらに他の構成において、スイッチ１３０は、図３〜６の実施形態における代替構成に示すものなどのフレックスリボンケーブルまたは可撓性回路基板などであるがそれに限定されない、当業者には周知の他の構成において電気的に接続することができる。
【００４８】
次に図３〜６を参照すると、光学組立体２００が、雌型コネクタ組立体２１０と雄型コネクタ１４０とを含むことができる。雌型コネクタ組立体２１０は、雌型コネクタ組立体１１０と実質的に同様でよいが、本明細書に説明するある顕著な例外を有する。雌型コネクタ組立体１１０は、センサ２３０を含むことができ、センサ２３０は、スイッチ１３０の代わりに、またはスイッチ１３０に加えて、電気光学センサでよい。図５に最もよく示すように、そのような電気光学センサは、位置センサ、例えば、図５の矢印２０５および２０６で表される光を送信および受信し、ならびに電気信号などであるがそれに限定されない信号を生成する、ＯＳＲＡＭ  ＳＦＨ  ７７４１近接センサ、ＳＨＡＲＰ  ＧＰ２ＡＰ０３０Ａ００Ｆ周囲光センサ付き近接センサ、ＳＨＡＲＰ  ＧＰ２ＡＰ００２Ｓ００Ｆ近接センサ、ＧＰ２ＡＰ００２Ａ００Ｆ統合周囲光センサ付き近接センサ、およびＶＩＳＨＡＹ  ＶＣＮＬ４０４０赤外線放射体、Ｉ２Ｃインターフェース、および割り込み機能付き完全統合近接および周囲光センサのいずれかでよい。そのような信号は、ライトパネル（図示せず）などの遠隔電子デバイス、または電子デバイスに結合された信号受信機に経路指定するための信号を生成および送信し、または代替として、センサによって送信された光を物体が遮断したとき、電気信号などであるがそれに限定されない信号を生成または送信することを停止する位置センサに伝達することができる。いくつかの構成において、そのような位置センサは、センサによって光を受信したとき、または受信することを停止したとき、変化することができる抵抗、容量、またはインダクタンスなどの可変電気的特性を有することができる。そのような構成において、センサ内の抵抗、容量、またはインダクタンスの変化は、電気的特性の変化に対応し、線を介してなど、または信号伝達手段のように位置センサから伝達された電気信号を受信する遠隔受信機によって認識することができる。
【００４９】
図示する例におけるように、センサ２３０は、雌型コネクタ組立体２１０の外部に装着することができる。この構成において、雌型コネクタ組立体２１０は、第２のソケット２１４の側壁を貫通する穴部２２１、２２２の対を有することができる。さらに図５を参照すると、センサ２３０によって送信される光は、穴部２２１中を通過することができ、センサ２３０によって受信される光は、穴部２２２中を通過することができる。
【００５０】
図６に示すように、フレックスリボンケーブルでよいが、それであることに限定されないケーブル２２５、または図示するように可撓性回路基板は、センサ２３０に電気的に接続し、センサ２３０から延びることができる。このようにして、ケーブル２２５は、センサが光を送信し、受信した光を検知し、およびセンサによって送信された光を物体が遮断したとき信号を生成し、または生成および送信するようにセンサ２３０を作動させるために電力を提供することができる。
【００５１】
図３および４を参照すると、雄型コネクタ１４０の相手側端部１４１は、雌型コネクタ組立体２１０の穴部２２２と整合する雌型コネクタ組立体２１０の第２のソケット２１４内のある深さまで後端１４７を受けたとき、センサ２３０によって送信された光を後端が遮断することができるように後端１４７を含むことができる。このようにして、センサ２３０は、雌型コネクタ組立体２１０の第２のソケット２１４における雄型コネクタ１４０の存在を検知することができる。雄型コネクタ１４０の存在を検知したとき、センサ２３０は、ライトパネル（図示せず）などの遠隔電子デバイスに伝達することができる電気信号などであるが、それに限定されない、ケーブル２２５に沿って搬送される信号を生成し、または遠隔信号受信機に経路指定するための信号を生成および送信することができ、または代替として、センサ２３０は、前に本明細書に説明したように光学組立体１００のスイッチ１３０と同様のやり方で、電気信号などであるが、それに限定されない信号を生成または送信することを停止することができる。
【００５２】
図７を参照すると、光学組立体３００が、雌型コネクタ組立体３１０と雄型コネクタ１４０とを含むことができる。雌型コネクタ組立体３１０は、センサ２３０が雌型コネクタ組立体３１０の第２のソケット３１４の側壁を貫通して延びる穴部と整合されるように、雌型コネクタ組立体のセンサ２３０を雌型コネクタ組立体３１０の外部上に位置決めすることができることを除いて、雌型コネクタ組立体２１０と実質的に同様でよい。そのような構成において、センサ２３０が光を検知する、第２のソケット３１４の側壁を貫通する穴部は、下部クリップ１４６が雌型コネクタ組立体３１０内に雄型コネクタ１４０が完全に挿入された静止位置にあるとき、下部クリップ１４６と整合するように位置決めすることができる。したがって、センサ２３０によって送信された光の遮断は、下部クリップ１４６が静止位置にあるとき、センサ２３０によって検知することができ、その結果として、センサ２３０は、信号が光学組立体２００によって生成されるか、または光学組立体２００によって生成されることを停止するかのいずれかと同じように、ケーブル２２５に沿って搬送される信号を生成し、またはケーブル２２５に沿って搬送される信号を生成することを停止することができる。下部クリップ１４６が、雄型コネクタ１４０が完全に挿入された静止位置にあるとき、センサ２３０は、したがって、雄型コネクタ１４０の存在ならびに雌型コネクタ組立体３１０内への雄型コネクタ１４０の完全挿入を検知する。
【００５３】
図８を参照すると、光学組立体が、雌型コネクタ組立体４１０と、雄型コネクタ１４０などの雄型コネクタとを含むことができる。雌型コネクタ組立体４１０は、センサ２３０を構造体４６０に固定することができることを除いて雌型コネクタ組立体２１０と実質的に同様でよく、構造体４６０は、雌型コネクタ組立体４１０とは分離可能である枠でよいが、枠であることに限定されない。図示するように、ケーブル２２５は、ケーブルに剛性を追加するために構造体４６０に、接着剤によってなどであるが、それに限定されないで、固定することができる。
【００５４】
構造体４６０は、センサ２３０が雌型コネクタ組立体４１０の第２のソケット２１４の側壁を貫通して延びる穴部２２２と整合されるように、雌型コネクタ組立体４１０に対して位置決めし、または雌型コネクタ組立体４１０に結合さえすることができる。このようにして、雄型コネクタ１４０の後端１４７を雌型コネクタ２１０の穴部２２２と整合する雌型コネクタ組立体４１０の第２のソケット２１４内のある深さまで受けたとき、後端は、センサ２３０によって送信された光を遮断する。このようにして、センサ２３０は、雌型コネクタ組立体４１０の第２のソケット２１４における雄型コネクタ１４０の存在を検知することができる。雄型コネクタ１４０の存在を検知したとき、センサ２３０は、ライトパネル（図示せず）などの遠隔電子デバイスに伝達することができる電気信号などであるが、それに限定されない、ケーブル２２５に沿って搬送される信号を生成し、または遠隔信号受信機に経路指定するための信号を生成および送信することができ、または代替として、センサ２３０は、電気信号などであるが、それに限定されない信号を生成または送信することを停止することができる。
【００５５】
光学組立体２００および４００の代替構成（図示せず）において、雄型コネクタ１４０を雌型コネクタの第２のソケット内に完全に挿入したとき、雄型コネクタ１４０の後端１４７が、後端が整合することができる第１の穴部と整合することができるように、センサ２３０、およびセンサによって送信および受信された光との整合のための対応する穴部は、雌型コネクタ組立体の第２のソケットの外部において位置決めすることができる。したがって、センサ２３０によって送信された光の遮断は、雄型コネクタ１４０を雌型コネクタの第２のソケット内に完全に挿入したとき、センサ２３０によって検知することができ、その結果として、センサ２３０は、信号が光学組立体２００によって生成することができるか、または光学組立体２００によって生成されることを停止することができるかのいずれかと同じように、ケーブル２２５に沿って搬送される信号を生成することができ、またはケーブル２２５に沿って搬送される信号を生成することを停止することができる。そのような構成において、センサ２３０は、したがって、雄型コネクタ１４０の存在ならびに雌型コネクタ組立体内への雄型コネクタ１４０の完全な挿入を検知する。
【００５６】
次に図９を参照すると、センサとケーブル２２５との間の接続部を覆うためにカバー５７０をセンサ２３０などのセンサの上に配置し、雌型コネクタ組立体２１０などの雌型コネクタ組立体、または本明細書に開示する他の雌型コネクタ組立体のいずれかに取り付けることができる。このようにして、カバー５７０は、汚染物質がセンサとケーブル２２５との間の信号伝送の回路を損傷するのを、または信号伝送を妨害するのを防止することができる。
【００５７】
次に図１０Ａおよび１０Ｂを参照すると、光学組立体６００が、第１のコネクタ組立体６１０と、第２のコネクタ組立体６４０とを含むことができ、それにおいて、第１および第２のコネクタ組立体は、互いに、ならびに第１および第２のコネクタ組立体を挿入し、互いに適切に位置合わせすることができるアダプタ６５０と当接することにより係合可能であり得る。第１および第２のコネクタ組立体６１０、６４０のそれぞれは、ハウジング６１１と、内側および外側フェルール部分６１７Ａおよび６１７Ｂならびに内側および外側フェルール部分のそれぞれを通って延び、外側フェルール部分によって位置に保持される光ファイバ１を有することができるファイバおよびフェルール組立体６１６と，コイルバネでよいがそれであることに限定されない弾性素子６２１と、弾性素子ストッパ６２３とを含むことができる。図示する例におけるように、第１および第２のコネクタ組立体６１０、６４０のそれぞれは、任意選択で、バッファ管および撚糸組立体６２７と、バッファ管および撚糸組立体ならびに弾性素子ストッパ６２３の後端部を圧着することができる圧着リング６２８と、弾性ストッパ６２３の後端部、バッファ管および撚糸組立体６２７、ならびに圧着リング６２８のいずれかまたはすべてを覆うことができるブーツ６２９とを含むことができる。
【００５８】
図示するように、ハウジング６１１は、その直径にわたる隔壁６１２を含むことができ、隔壁６１２を通ってファイバおよびフェルール組立体６１６の外側フェルール部分６１７Ｂが延びることができる。このようにして、隔壁６１２は、隔壁がハウジングによって画定された中心軸に沿って外側フェルール部分、したがってファイバおよびフェルール組立体６１６のファイバ１の位置合せを助けるように、外側フェルール部分６１７Ｂの中央部分を保持する。
【００５９】
内側フェルール部分６１７Ａは、ハウジング６１１の隔壁６１２の内側のハウジング６１１のハウジング内腔６１３を通って延びることができ、それにおいて、内側フェルール部分６１７Ａの前方区分は、内側フェルール部分がハウジング内腔と摺動係合し、ハウジングに対して半径方向および軸方向位置に固定されるように、ハウジング内腔と同じ、または実質的に同じである外径を有することができる。
【００６０】
セラミック、ガラス、および硬質プラスチックのいずれかで製作してよいが、それらであることに限定されない、外側フェルール部分６１７Ｂの後端部が、内側フェルール部分６１７Ａの前方区分内に延びることができる。このようにして、内側フェルール部分６１７Ａは、内側フェルール部分が、ハウジング６１１の隔壁６１２とともに、ハウジングによって画定された中心軸に沿って外側フェルール部分、したがってファイバおよびフェルール組立体６１６のファイバ１の位置合せを助けるように、外側フェルール部分６１７Ｂの中央部分を保持することができる。
【００６１】
弾性素子ストッパ６２３は、ハウジング６１１を貫通して延びることができ、弾性素子ストッパ６２３の縦軸から半径方向に延びる前方フランジ６２４を有することができる。図示するように，前方フランジ６２４は、弾性素子ストッパ６２３の前方フランジの前端部が前方フランジの後端部よりも小さい直径を有するように、面取りをすることができる。前方フランジ６２４は、弾性素子ストッパ６２３とハウジング６１１との組み立てによりハウジング６１１の開口６１５内に延びることができる。さらに図示するように、弾性素子ストッパ６２３は、ハウジング６１１のハウジング内腔６１３と同じ、または実質的に同じである外径を有することができる。このようにして、弾性素子ストッパ６２３は、弾性素子ストッパがハウジング６１１に対して半径方向および軸方向位置に固定されるように、ハウジングの後端部を通るハウジング内腔６１３内に挿入し、ハウジング内腔６１３と接触したままであることができる。
【００６２】
弾性素子ストッパ６２３は、内側フェルール部分６１７Ａの後方区画を受けることができるストッパ内腔６２５を含むことができる。内側フェルール部分６１７Ａの後方区画は、内側フェルール部分がストッパ内腔と摺動係合し、弾性素子ストッパ６２３に対して半径方向および軸方向位置に固定されるように、ストッパ内腔６２５と同じ、または実質的に同じである外径を有することができる。
【００６３】
さらに図１０Ａおよび１０Ｂを参照すると、弾性素子６２１は、ファイバおよびフェルール組立体６１６の内側フェルール部分６１７Ａの前方区分と、弾性素子ストッパ６２３の前方フランジ６２４の前端部との間で圧縮することができる。したがって、弾性素子６２１の両端部は、第１および第２のコネクタ組立体６１０、６４０を組み立てたとき、それぞれ、内側フェルール部分６１７Ａの前方区分および弾性素子ストッパ６２３の前方フランジ６２４の前端部に対して保持することができる。このようにして、図示するように、内側フェルール部分６１７Ａの前端部は、第１および第２のコネクタ組立体６１０、６４０のいずれかに対して外部の力が何も作用しない、すなわち、非重力が作用するとき、隔壁６１２に当接することができる。
【００６４】
第１および第２のコネクタ組立体６１０、６４０は、好ましくは、図１０Ｂに例示するように、これらの組立体が互いに当接するとき、それらのそれぞれのファイバおよびフェルール組立体６１６を通って延びるそれらの対向する光ファイバ１の前端部の中心がそれぞれの第１および第２のコネクタ組立体６１０、６４０のファイバおよびフェルール組立体６１６によって画定された中心軸と軸方向に位置合わせされ、これらの中心が物理的に可能な限り互いに近接して配設されるような寸法にすることができる。
【００６５】
第１のコネクタ組立体６１０、およびいくつかの構成において、第２のコネクタ組立体、または第１および第２のコネクタ組立体６１０、６４０の両方は、第１のコネクタ組立体のハウジング６１１のハウジング内腔６１３内に位置決めすることができるセンサ６３０を含むことができる。図示する例におけるように、センサ６３０は、当業者には周知なように、１つまたは複数の締結具または化学的接着によってなどであるがそれに限定されないで、ストッパ内腔６２５に付着させることができる。センサ６３０は、プローブ６３１を含むことができ、プローブ６３１は、静止位置のセンサのセンサモジュール６３３から前方方向に延びることができ、プローブが静止位置にあるときセンサモジュールにおいて受けていないプローブの少なくとも一部分をセンサモジュールにおいて受ける引っ込んだ位置にプローブが静止位から引っ込むように引き込み可能であり得る。そのような構成において、センサ６３０は、変位センサまたは圧力センサでよい。
【００６６】
センサ６３０が当業者には周知のものなどの変位センサであるとき、センサモジュール６３３におけるリニアエンコーダが、モジュール内のプローブ６３１の移動を検知することができる。他の構成において、センサ６３０が変位センサであるとき、プローブ６３１は、プローブの一部分がセンサモジュール６３３内におよびセンサモジュール６３３から移動するとき、プローブがプローブ中を流れる電流に可変抵抗を提供することができるような材料で製作してよい。そのような抵抗の変化は、電気信号を線を介してなど、または信号伝達手段のように伝達することができる、抵抗の変化に対応する電気信号を受信する電子デバイスによって測定することができる。さらに他の構成において、センサ６３０が変位センサであるとき、プローブ６３１は、プローブの一部分がセンサモジュール６３３内におよびセンサモジュール６３３から移動するときプローブが可変容量を提供することができるような誘電材料で製作してよい。そのような容量の変化は、電気信号を線を介してなど、または信号伝達手段のように伝達することができる、容量の変化に対応する電気信号を受信する電子デバイスによって測定することができる。
【００６７】
センサ６３０が圧力センサであるときのいくつかの構成において、プローブ６３１は、ダイアフラムでよいが、それであることに限定されない圧力感知面に当接することができる。センサ６３０が圧力センサであるときのいくつかの構成において、センサは、プローブ６３１を含まない可能性があり、代わりに、ファイバおよびフェルール組立体６１６の内側フェルール部分６１７Ａは、ダイアフラムでよいが、それであることに限定されない圧力感知面に当接することができる延長部（図示せず）を有することができる。センサ６３０が今説明したものなどの圧力センサであるときのいくつかの構成において、圧力感知面は、場合により、プローブ６３１に当接した撓んだダイアフラムまたは他のカンチレバーまたはファイバおよびフェルール組立体６１６の内側フェルール部分６１７Ａの延長部でよい。
【００６８】
さらに他の構成において、センサ６３０は、今説明したものなどの圧力または変位センサでない可能性がある。代わりに、マイクロひずみゲージをセンサモジュール６３３内の弾性素子に付着させることができ、それにおいて、締結具または化学的接着によってなどであるがそれに限定されないで、弾性素子をプローブ６３１に固定して取り付けることができる。そのような構成において、ひずみゲージは、弾性素子の表面の、例えば軸方向の、すなわちプローブ６３１の縦軸に平行の方向の変形を検知することができる。
【００６９】
図示するように、センサ６３０は、引き込み式プローブ６３１の前端部が内側フェルール部分６１７Ａの後端部に接触することができるように、ハウジング６１０のハウジング内腔６１１内に、およびこの例において、弾性素子ストッパ６２３のストッパ内腔６２５内に位置決めすることができる。このようにして、第１のコネクタ組立体６１０が第２のコネクタ組立体６４０に係合していないとき、センサ６３０のプローブ６３１は、静止位置においてセンサモジュール６３３から延びることができる。さらに、このようにして、第１および第２のコネクタ組立体６１０、６４０の係合時に第１のコネクタ組立体６１０の外側フェルール部分６１７Ｂの前端部とともに第２のコネクタ組立体６４０の外側フェルール部分６１７Ｂの前端部によって後部方向に力を印加することにより、プローブ６３１は、センサ６３０のセンサモジュール６３３の方に引っ込むことができる。
【００７０】
図１０Ａに示すように、第１のコネクタ組立体６１０が第２のコネクタ組立体６４０と係合することなく光学組立体６００のアダプタ６５０内に完全に挿入され、したがってファイバおよびフェルール組立体６１６が静止位置にあるように、外側フェルール部分６１７Ｂは、アダプタを等分する平面６９９を超えて延びることができる。図１０Ｂに示すように、第２のコネクタ組立体６４０が第１のコネクタ組立体６１０の挿入に続いて光学組立体６００のアダプタ６５０内に完全に挿入されたとき、第１および第２のコネクタ組立体６１０、６４０の外側フェルール部分６１７Ｂの前端部は、互いに押して、それらの対向するファイバおよびフェルール組立体６１６を互いに接触したままにさせることができるが、互いから離れて後部方向に向かう傾向があり得る。このようにして、第１のコネクタ組立体６１０の、ファイバおよびフェルール組立体６１６の後端部、すなわち、内側フェルール部分６１７Ａの後端部が、センサ６３０の引き込み式プローブ６３１を圧縮することができる。引き込み式プローブ６３１が所定の許容差範囲内でそのように圧縮されたとき、センサ６３０は、ライトパネル（図示せず）などの遠隔電子デバイスに伝達することができる電気信号などであるが、それに限定されない信号を生成し、または電子デバイスに結合された信号受信機に経路指定するための信号を生成および送信することができ、または代替として、第２のコネクタ組立体６４０が所定の深さまでアダプタ６５０内に挿入されたとの指示を提供するために電気信号などであるが、それに限定されない信号を生成または送信することを停止することができる。いくつかの構成において、そのような変位または圧力センサは、コネクタ組立体によって供給された移動または力が起きるまたは起きることを停止するとき変化することができる抵抗、容量、またはインダクタンスなどの可変電気的特性を有することができる。そのような構成において、センサ内の抵抗、容量、またはインダクタンスの変化は、電気的特性の変化に対応する電気信号を受信する遠隔受信機によって認識し、線を介してなど、または信号伝達手段のように変位または圧力センサから伝達することができる。
【００７１】
この同じやり方で、第２のコネクタ組立体６４０がアダプタ６５０内に挿入されていないときセンサ６３０のプローブ６３１の引き込みの結果として、または第２のコネクタ組立体がアダプタ６５０内に挿入されているときセンサ６３０のプローブ６３１の過剰引き込みの結果として、所定の許容差範囲で生成された、または生成もしくは送信されることが停止された信号を、いつ光ファイバ１が後方に、すなわち、アダプタ６５０から離れる方向に引っ張られたかを検知するのに使用することもできる。そのような引っ張り効果は、第１のコネクタ組立体６１０に対する、人の引っ張りによって、または環境要素（温度、湿度など）によるケーブルバッファ管および撚糸組立体６２７のすべての方向への膨張によって引き起こされてよいが、それであることに限定されない。図１０Ａおよび１０Ｂの例において示すように、ケーブル６３５は、センサ６３０から、弾性素子ストッパ６２３の後端部から、およびケーブルバッファ管および撚糸組立体６２７を通って延びることができる。
【００７２】
図１１に示すように、光学組立体６００の代替構成において、光学組立体７００が、センサ６３０から指示器６９０まで延びることができる、電気または光ケーブルなどの任意の信号伝達ケーブル６３５Ａを含むことができる。図示する例におけるように、指示器６９０は、アダプタ６５０の外部表面に取り付けることができる発光ダイオード（ＬＥＤ）表示部を含むことができる。このようにして、指示器６９０は、第２のコネクタ組立体６４０を所定の深さまで挿入し次第、照明され得る。さらに図示するように、指示器６９０は、当業者には周知のように、さらに、外部回路と線によってなど電気的に接続し、または外部回路と無線で通信することができるが、それであることに限定されない。別の代替構成において、センサ６３０は、同様に、指示器６９０と無線で通信することができる。
【００７３】
次に図１２Ａおよび１２Ｂを参照すると、光学組立体８００は、光学組立体８００がセンサ６３０に加えて、または、図示する例におけるように、センサ６３０の代わりにセンサ８３０を有する第１のコネクタ組立体８１０を含むことができることを顕著に除いて、光学組立体６００と実質的に同様でよい。センサ８３０は、弾性素子６２１上に配置することができる。センサ８３０は、弾性素子６２１の表面の２点間の距離の変化を検知するために弾性素子の表面に沿って配置することができるマイクロひずみゲージでよい。この構成において、ひずみゲージは、上にひずみゲージが位置する弾性素子の表面が伸縮するとき抵抗が変化する可変抵抗素子でよい。
【００７４】
このようにして、ハウジング６１１内の内側フェルール部分６１７Ａが後方移動しまたは引き込み次第、センサ８３０は、弾性素子６２１の表面上の圧縮、したがって移動を検知することができる。センサ８３０がそのように所定の許容差範囲内で弾性素子６２１の表面の２点間の距離の変化を検知するとき、センサ８３０は、ライトパネル（図示せず）などの遠隔電子デバイスに伝達することができる電気信号などであるが、それに限定されない信号を生成し、または電子デバイスに結合された遠隔信号受信機に経路指定するための信号を生成および送信することができ、または代替として、第２のコネクタ組立体６４０が所定の深さまでアダプタ６５０内に挿入されたとの指示を提供するために電気信号などであるが、それに限定されない信号を生成または送信することを停止することができる。
【００７５】
ひずみゲージを利用する構成において、ひずみゲージセンサは、弾性素子の表面上の変化が起きまたは起きることを停止するとき変化することができる抵抗、容量、またはインダクタンスなどの可変電気的特性を有することができる。そのような構成において、センサ内の抵抗、容量、またはインダクタンスの変化は、電気的特性の変化に対応する電気信号を受信する遠隔受信機によって認識し、線を介してなど、または信号伝達手段のようにひずみゲージセンサから伝達することができる。別の代替構成において、センサ８３０は、マイクロひずみゲージに対して今説明したものなどの信号を送信することによって弾性素子６２１の移動に反応することができる、弾性素子６２１上に、または弾性素子６２１に近接して配置された圧電材料（図示せず）でよい。
【００７６】
図１２Ｃに示すように図１２Ａおよび１２Ｂの例に示す代替構成の別の代替構成において、光学組立体８００Ａおよびその第１のコネクタ組立体８１０Ａは、第１のコネクタ組立体８１０Ａの弾性素子６２１が、電流がコイルばねの対向する端部に取り付けた電線８３５Ａと８３５Ｂとの間のばねを流れるとき誘導性素子として働くコイルばねでよいことを除いて、それぞれ、光学組立体８００および第１のコネクタ組立体８１０と同じでよい。このようにして、弾性素子６２１の伸縮により、弾性素子の長さの変化、したがって弾性素子のインダクタンスの変化が生じ、それはインダクタンスの変化により弾性素子に生成された電流に対応する電気信号を受信する電子デバイスによって測定することができ、それにおいて、電気信号が線を介してなど、または信号伝達手段のように伝達される。図示するように、鉄またはニッケルで製作してよいが、それであることに限定されない、磁心８３１が、第１のコネクタ組立体８１０Ａの内側フェルール部分６１７Ａの溝部８１８の周りに延びることができる。このようにして、弾性素子６２１および磁心８３１によって生成された磁束、したがってインダクタンスは、弾性素子だけによって生成されたインダクタンスよりも実質的に増加させることができる。このようにして、弾性素子の長さの変化は、検知するのが容易であり、第２のコネクタ組立体６４０が所定の深さまでアダプタ６５０内に挿入されたとの指示はより信頼性がある。
【００７７】
図１２Ａおよび１２Ｂの例に示す代替構成のさらに別の代替構成（図示せず）において、コンデンサを形成するために導電性金属板などであるがそれに限定されない電極を弾性素子６２１の端部に取り付けることができる。このようにして、弾性素子６２１の伸縮により、弾性素子の長さの変化、したがってコンデンサの容量の変化が生じ、それは容量の変化に対応する電気信号を受信する電子デバイスによって測定することができ、それにおいて、電気信号が、線を介してなど、または信号伝達手段のように伝達される。
【００７８】
次に図１３を参照すると、光学組立体９００は、光学組立体９００が弾性素子ストッパ６２３の代替構成を含むことができ、図示する例におけるように、場合によっては、センサ６３０を含まない可能性があることを顕著に除いて、光学組立体６００と実質的に同様でよい。そのような構成において、コネクタ組立体９１０は、図示するように、後方ストッパ９２３Ａの内径と同じ、または実質的に同じである外径をその後端部に有することができる前方ストッパ９２３を含むことができ、後方ストッパ９２３Ａから、前方ストッパ９２３およびハウジング６１１が取外し可能であり得る。光学組立体９００は、図示するようにバッファ管および撚糸組立体６２７、圧着リング６２８、ならびにブーツ６２９の組立体に圧着することができる後方ストッパ９２３Ａに装着することができるセンサ９３０を含むことができる。このようにして、コネクタ組立体９１０は、コネクタ組立体が欠陥となったときなど、センサ９３０および後方ストッパ９２３Ａを再使用しながら別のコネクタ組立体で置き換えることができる。
【００７９】
図１４を参照すると、光学組立体１０００は、光学組立体１０００がセンサ９３０に加えて、またはその代わりにセンサ１０３０を有する第１のコネクタ組立体１０１０を含むことができることを顕著に除いて、光学組立体９００と実質的に同様でよい。図１３に示すようにセンサ９３０のセンサモジュール９３３から延びるケーブル６３５の代わりに、センサ１０３０は、ケーブル６３５Ａならびにセンサモジュール１０３３から延びるケーブル１０２５を含むことができる。ケーブル６３５Ａは、ライトパネル（図示せず）などの遠隔電子デバイスに伝達することができる、センサ１０３０によって生成され、または電子デバイスに結合された信号受信機に経路指定するためにセンサ１０３０によって生成および送信された、電気信号などであるがそれに限定されない信号を搬送することができ、または代替として、コネクタ組立体６４０などの第２のコネクタ組立体がアダプタ６５０などのアダプタ内に所定の深さまで挿入されたとの指示を提供するために、電気信号などであるがそれに限定されない信号を搬送することを停止することができる。
【００８０】
ケーブル１０２５は、ケーブルが実質的に光ファイバ１と同じ経路に沿って通るように、ブーツとバッファ管および撚糸組立体６２７との間でブーツ６２９中を通って延びることができる。ケーブル１０２５は、その長さに沿って１つまたは複数のセンサ（図示せず）を含むことができ、センサは、当業者には周知のように、マイクロひずみゲージでよく、マイクロひずみゲージは、たいがいケーブルの屈曲または変形によって生じる、ケーブルの長さの変化またはより正確にはケーブルの表面の２点間の距離の変化を検知する。この構成において、センサは、上にセンサが位置するケーブルの表面が伸縮するとき抵抗が変化する可変抵抗素子でよい。図示する例において、センサ１０３０は、ケーブルの長さの変化が起きたとき、抵抗の変化に対応し、マイクロひずみゲージから伝達された電気信号を受信することができる。任意のそのようなケーブル１０２５の表面の変化が閾値に等しいか、または閾値を超えるとき、センサがライトパネル（図示せず）などの遠隔電子デバイスに伝達することができる電気信号などであるが、それに限定されない信号を生成し、または電子デバイスに結合された信号受信機に経路指定するための信号を生成および送信することができ、または代替として、ケーブル、したがって可能性のある光ファイバ１が、その一部分において不必要に屈曲されて、例えば、最小曲げ半径未満を有することを要員に警告するために、電気信号などであるが、それに限定されない信号を生成または送信することを停止することができるように、センサ１０３０を設定することができる。図１４の例において、光ファイバがその長さに沿って最小曲げ半径を有することが所望されるとき、結果として最小曲げ半径未満を有するケーブルの一部分となる光ファイバ１の長さに沿った任意の変化をセンサ１０３０によって検知されると、一般に望ましくないとみなされ、警告信号が生成される。
【００８１】
図１５を参照すると、光学組立体１１００は、光学組立体１１００の第１および第２のコネクタ組立体１１１０、６４０の外側フェルール部分６１７Ｂの係合によって生じた第１のコネクタ組立体１１１０の外側フェルール部分６１７Ｂの変位により、第２のコネクタ組立体６４０がアダプタ６５０内に挿入されたとの指示を提供するために、光学組立体１１００がセンサ６３０に加えて、または、図示する例におけるように、その代わりに、電極１１３１、１１３２を有する第１のコネクタ組立体１１１０を含むことができることを顕著に除いて、光学組立体６００と実質的に同様でよい。フェルール電極１１３１は、１つまたは複数の締結具、吸着可能磁気素子、またはエポキシでよいが、それであることに限定されない化学接着剤によってなどであるがそれに限定されないで、内側フェルール部分６１７Ａの前端部に取り付けることができ、銅線でよいが、それであることに限定されないケーブル１１３５Ａによって論理回路９９に電気的に接続することができる。ハウジング電極１１３２は、１つまたは複数の締結具、吸着可能磁気素子、またはエポキシでよいが、それであることに限定されない化学接着剤によってなどで、ハウジング６１１の隔壁６１２の後ろ向き側に取り付けることができ、銅線でよいが、それであることに限定されないケーブル１１３５Ｂによって論理回路９９に電気的に接続することができる。
【００８２】
このようにして、第２のコネクタ組立体６４０が、図１５の上部におけるように、アダプタ６５０内に挿入されないとき、内側フェルール部分６１７Ａの前端部は、ハウジング６１１の隔壁６１２に対してその最前方位置にあってよい。このようにして、フェルール電極１１３１およびハウジング電極１１３２は、閉回路が論理回路９９、ケーブル１１３５Ａ、フェルール電極１１３１、ハウジング電極１１３２、およびケーブル１１３５Ｂによって形成されるように、接触することができる。対照的に、図１５の下部におけるように、第２のコネクタ組立体６４０がアダプタ６５０内に挿入されたとき、内側フェルール部分６１７Ａの前端部は、ハウジング６１１の隔壁６１２から離れるように設定することができる。このようにして、フェルール電極１１３１およびハウジング電極１１３２は、論理回路９９、ケーブル１１３５Ａ、フェルール電極１１３１、ハウジング電極１１３２、およびケーブル１１３５Ｂによって形成された常時閉回路が開くように、接触しない可能性がある。そのような構成において、論理回路９９は、回路を閉じたとき電源が切られる接続された電子工学または光電子工学システム、および回路を開いたとき電源が投入される接続された電子工学または光電子工学システムを制御することができる。このようにして、第１のコネクタ組立体１１１０を通る光放出を停止し、損傷を防止し、エネルギーを節約することができる。代替構成において、論理回路９９などの論理回路は必要とされない可能性があり、ケーブル１１３５Ａ、フェルール電極１１３１、ハウジング電極１１３２、およびケーブル１１３５Ｂは、フェルール電極１１３１とハウジング電極１１３２との間の接触に基づいて開閉することができる別の回路の一部を形成することができる。
【００８３】
図１６に示すように、光学組立体１２００は、光学組立体１２００が、光学組立体１２００の第１および第２のコネクタ組立体１２１０、６４０の外側フェルール部分６１７Ｂの係合によって生じた第１のコネクタ組立体１２１０の外側フェルール部分６１７Ｂの変位により、第２のコネクタ組立体６４０が所定の深さまでアダプタ６５０内に挿入されたとの指示を提供するために、電極１１３１、１１３２に加えて、または、図示する例におけるように、それらの代わりに、電極１２３１、１２３２を有する第１のコネクタ組立体１２１０を含むことができることを顕著に除いて、光学組立体１１００と実質的に同様でよい。ストッパ電極１２３１は、１つまたは複数の締結具、吸着可能磁気素子、またはエポキシでよいが、それであることに限定されない化学接着剤によってなどであるがそれに限定されないで、弾性ストッパ素子６２３の前向き内部段に取り付けることができる。ストッパ電極１２３１は、絶縁素子１２３７ならびに絶縁素子の両側に取り付けた導電性上側ベース１２３６Ａおよび導電性下側ベース１２３６Ｂを含むことができる。絶縁素子１２３７は、プラスチックまたはゴム材料などであるがそれに限定されない、絶縁または誘電材料で製作してよい。このようにして、上側ベース１２３６Ａと下側ベース１２３６Ｂとは、電気的に接続されない可能性がある。上側ベース１２３６Ａは、ケーブル１２３５Ａによって論理回路９９に電気的に接続することができ、下側ベース１２３６Ｂは、ケーブル１２３５Ｂによって論理回路９９に電気的に接続することができ、それにおいて、ケーブルのそれぞれは、銅線でよいがそれであることに限定されない。
【００８４】
さらに図示するように、上側ベース１２３６Ａおよび下側ベース１２３６Ｂは、内側フェルール部分６１７Ａに向かって前方方向に延びるそれぞれの上側および下側プロング１２３７Ａ、１２３７Ｂに取り付けることができる。このようにして、上側および下側プロング１２３７Ａ、１２３７Ｂにより、ストッパ電極１２３１は、図示する配列におけるように、フェルール電極１２３２を含む他の電極に接触する縦方向区間を有することが可能になる。
【００８５】
フェルール電極１２３２は、１つまたは複数の締結具、吸着可能磁気素子、またはエポキシでよいが、それであることに限定されない化学接着剤によってなどであるがそれに限定されないで、内側フェルール部分６１７Ａの後ろ向き側に取り付けることができる。図示するように、フェルール電極１２３２は、フェルール電極が内側フェルール部分６１７Ａの後ろ向き側の全周囲に接触するように、円環の形であってよいが、それであることに限定されない。
【００８６】
図１６の下部におけるように、第２のコネクタ組立体６４０がアダプタ６５０内に挿入されたとき、内側フェルール部分６１７Ａの後端部に取り付けたフェルール電極１２３２は、弾性ストッパ素子６２３の前向き内部段に取り付けたストッパ電極１２３１の上側および下側プロング１２３７Ａ、１２３７Ｂと接触して配置することができる。このようにして、閉回路が論理回路９９、ケーブル１２３５Ａ、ストッパ電極１２３１、フェルール電極１２３２、およびケーブル１２３５Ｂによって形成される。プロング１２３７Ａ、１２３７Ｂの長さにより、電極１２３１、１２３２がストッパ電極１２３１と電気的に接触するために内側フェルール部分６１７Ａが後方にずっと弾性ストッパ素子６２３の前向き内部段に隣接した上側および下側ベース１２３６Ａ、１２３６Ｂまで移動、したがってそれらに接触するのは不要である。
【００８７】
動作において、第２のコネクタ組立体６４０がアダプタ６５０内に完全に挿入されたとき、第１および第２のコネクタ組立体１２１０、６４０の外側フェルール部分６１７Ｂは、外側フェルール位置および内側フェルール部分６１７Ａの長さおよび相対位置ならびに第１および第２のコネクタ組立体の弾性素子６２１によって供給される相対力により異なることがあるアダプタ６５０内の相対位置（破線６９９で表される）において接触することができる。したがって、図示する例におけるように、内側フェルール部分６１７Ａ、したがってフェルール電極１２３２が、フェルール電極１２３２とストッパ電極１２３１との間の初期電気的結合の後でも、さらに後方に移動することができるように、上側および下側プロング１２３７Ａ、１２３７Ｂは、内方に可撓であり得る。このようにして、第２のコネクタ組立体６４０の内側フェルール部分６１７Ａ、外側フェルール部分６１７Ｂ、および弾性素子６２１は、部分ごとに異なるサイズにし、それでもアダプタ６５０内に第２のコネクタ組立体６４０を挿入し次第、ストッパ電極１２３１とフェルール電極１２３２との間の電気的結合を生じることができる。一例において、第２のコネクタ組立体６４０がアダプタ６５０内に挿入されたとき、論理回路９９、ケーブル１２３５Ａ、ストッパ電極１２３１、フェルール電極１２３２、およびケーブル１２３５Ｂによって形成された回路は、第１のコネクタ組立体１２１０の内側および外側フェルール部分６１７Ａ、６１７Ｂが最小０．２５ｍｍだけ後方に移動する限り閉じることができる。
【００８８】
さらに、上側および下側プロング１２３７Ａ、１２３７Ｂは、論理回路９９、ケーブル１２３５Ａ、ストッパ電極１２３１、フェルール電極１２３２、およびケーブル１２３５Ｂによって形成された回路が閉じたままになっている間、内側および外側フェルール部分６１７Ａ、６１７Ｂが０．２５ｍｍよりも長い距離、例えば、１．０ｍｍ以上後方に移動することができるように、ばね作用を与えるためにベース１２３６Ａ、１２３６Ｂに対して一端が飛び出すことができる。上側および下側プロング１２３７Ａ、１２３７Ｂに加えて、またはそれらの代替として、第２のコネクタ組立体の内側および外側フェルール部分の後方移動の様々な距離においてストッパ電極とフェルール電極との間で維持される導電性結合をもたらすために、以下に図１７で説明する例においてなど、コイルまたは板ばねをフェルール電極１２３２に取り付けることができ、またはコイルまたは板ばねはフェルール電極１２３２でよい。
【００８９】
対照的に、図１６の上部と同様に第２のコネクタ組立体６４０がアダプタ６５０内に挿入されないとき、内側フェルール部分６１７Ａの後端部に取り付けたフェルール電極１２３２は、ストッパ電極１２３１から最も離れたその最前方位置にあることができる。このようにして、ストッパ電極１２３１とフェルール電極１２３２とは、論理回路９９、ケーブル１２３５Ａ、ストッパ電極１２３１、フェルール電極１２３２、およびケーブル１２３５Ｂによって形成された常時閉回路が開いているように、接触しない可能性がある。そのような構成において、論理回路９９は、回路を閉じたとき電源が投入される接続された電子工学または光電子工学システム、および回路を開いたとき電源が切られる接続された電子工学または光電子工学システムを制御することができる。このようにして、第１のコネクタ組立体１２１０を通る光放出を停止し、損傷を防止し、エネルギーを節約することができる。代替構成において、論理回路９９などの論理回路は必要とされない可能性があり、ケーブル１２３５Ａ、ストッパ電極１２３１、フェルール電極１２３２、およびケーブル１２３５Ｂは、ストッパ電極１２３１とフェルール電極１２３２との間の接触に基づいて開閉することができる別の回路の一部を形成することができる。
【００９０】
次に図１７を参照すると、光学組立体１３００は、光学組立体１３００が第２のコネクタ組立体６４０が所定の深さまでアダプタ６５０内に挿入されたとの指示を提供するために電極１２３１、１２３２の代わりに電極１３３１、１３３２を有する第１のコネクタ組立体１３１０を含むことができることを顕著に除いて、光学組立体１２００と実質的に同様でよい。ストッパ電極１３３１は、ストッパ電極１２３１と同じように弾性ストッパ素子６２３の前向き内部段に取り付けることができる。図示するように、ストッパ電極１３３１は、ストッパ電極が弾性ストッパ素子６２３の前向き内部段の全周囲に接触するように円環の形であってよいが、それであることに限定されない。
【００９１】
ストッパ電極１３３１は、絶縁素子１３３７ならびに絶縁素子の両側に取り付けた上側ベース１３３６Ａおよび下側ベース１３３６Ｂを含むことができる。絶縁素子１３３７は、ストッパ電極１２３１の絶縁素子１２３７と同じで、または酷似していてよい。このようにして、上側ベース１３３６Ａおよび下側ベース１３３６Ｂは、互いに電気的に接続されない可能性がある。上側ベース１３３６Ａは、ケーブル１２３５Ａによって論理回路９９に電気的に接続することができ、下側ベース１３３６Ｂは、ケーブル１２３５Ｂによって論理回路９９に電気的に接続することができる。
【００９２】
フェルール電極１３３２はコイルばねの形であってよい。フェルール電極１３３２は、１つまたは複数の締結具、吸着可能磁気素子、またはエポキシでよいが、それであることに限定されない化学接着剤によってなどであるがそれに限定されないで、内側フェルール部分６１７Ａの後ろ向き側に取り付けることができる。図示するように、フェルール電極１３３２は、フェルール電極の前端部が実質的に内側フェルール部分６１７Ａの後ろ向き側の全周囲に接触するように実質的に円環の形であってよいが、それであることに限定されない。フェルール電極１３３２の後端部１３３３は、第２のコネクタ組立体６４０が所定の深さまでアダプタ６５０内に挿入されたとき、後端部がストッパ電極１３３１の上側ベース１３３６Ａおよび下側ベース１３３６Ｂの両方に同時に接触することができるように、実質的に平坦でよい。
【００９３】
このようにして、閉回路が、前に本明細書に説明した論理回路９９などの論理回路、ケーブル１２３５Ａ、ストッパ電極１３３１、フェルール電極１３３２、およびケーブル１２３５Ｂによって形成される。フェルール電極１３３２の圧縮性により、フェルール電極は、第２のコネクタ組立体１３１０の内側および外側フェルール部分６１７Ａ、６１７Ｂの後方移動の様々な距離においてストッパ電極１３３１とフェルール電極１３３２との間に維持される導電性結合をもたらすことができる。
【００９４】
対照的に、第２のコネクタ組立体６４０がアダプタ６５０内に挿入されないとき、フェルール電極１３３２は、ストッパ電極１３３１から最も離れたその最前方位置にあってよい。このようにして、ストッパ電極１３３１とフェルール電極１３３２とは、論理回路、ケーブル１２３５Ａ、ストッパ電極１３３１、フェルール電極１３３２、およびケーブル１２３５Ｂによって形成された常時閉回路が開いているように、接触しない可能性がある。そのような構成において、論理回路は、回路を閉じたとき電源が投入される接続された電子工学または光電子工学システム、および回路を開いたとき電源が切られる接続された電子工学または光電子工学システムを制御することができる。代替構成において、論理回路は必要とされない可能性があり、ケーブル１２３５Ａ、ストッパ電極１３３１、フェルール電極１３３２、およびケーブル１２３５Ｂは、ストッパ電極１３３１とフェルール電極１３３２との間の接触に基づいて開閉することができる別の回路の一部を形成することができる。
【００９５】
図１８を参照すると、光学組立体１４００は、光学組立体１４００が第２のコネクタ組立体６４０が所定の深さまでアダプタ６５０内に挿入されたとの指示を提供するために電極１３３１、１３３２の代わりに電極１４３１、１４３２を有する第１のコネクタ組立体１４１０を含むことができることを顕著に除いて、光学組立体１３００と実質的に同様でよい。さらに、光学組立体１４００は、内側フェルール組立体６１７Ａ、弾性素子６２１、および弾性ストッパ素子６２３の代わりに内側フェルール組立体１４１７Ａ、弾性素子１４２１、および弾性ストッパ素子１４２３を含むことができる。
【００９６】
内側フェルール組立体１４１７Ａは、内側フェルール組立体１４１７Ａの後端部によって画定された溝部１４１９の周りに延びることができる管１４１８を含むことができる。管１４１８は、プラスチックなどの絶縁材料で製作してよい。第１のコネクタ組立体６１０の弾性素子６２１と異なり、弾性素子１４２１は、依然として弾性ストッパ素子１４２３の前端部と当接しながら内側フェルール組立体１４１７Ａの後端部を超えて延びることができる。弾性ストッパ素子１４２３は、弾性素子１４２１がストッパ内腔１４２５内に延びないように第１のコネクタ組立体６１０のストッパ素子６２３よりも狭いストッパ内腔１４２５を有することができる。
【００９７】
このようにして、ストッパ電極１４３１を弾性ストッパ素子１４２３の前端部に取り付けることができる。図示するように、ストッパ電極１４３１は、ストッパ電極が弾性ストッパ素子１４２３の前端部の全周囲に接触するように円環の形であってよいが、それであることに限定されない。
【００９８】
ストッパ電極１４３１は、絶縁素子１４３７ならびに絶縁素子の両側に取り付けた導電性上側ベース１４３６Ａおよび導電性下側ベース１４３６Ｂを含むことができる。このようにして、上側ベース１４３６Ａと下側ベース１４３６Ｂとは、互いに電気的に接続されない可能性がある。上側ベース１４３６Ａは、ケーブル１２３５Ａによって論理回路９９に電気的に接続することができ、下側ベース１４３６Ｂは、ケーブル１２３５Ｂによって論理回路９９に電気的に接続することができる。
【００９９】
フェルール電極１４３２は、コイルばねの形であってよい。フェルール電極１４３２は、溝部１４１９に沿って形成された内側フェルール部分６１７Ａの後ろ向き段に、１つまたは複数の締結具、吸着可能磁気素子、またはエポキシでよいが、それであることに限定されない化学接着剤によってなどであるがそれに限定されないで、取り付けることができ、内側フェルール部分の後端部の周りに延びることができる。したがって、フェルール電極１４３２は、フェルール電極を弾性素子１４２１から分離することができる管１４１８内に位置決めすることができる。
【０１００】
図示するように、フェルール電極１４３２は、フェルール電極の前端部が実質的に内側フェルール部分１４１７Ａの後ろ向き段の全周囲に接触するように、実質的に円環の形であってよいが、それであることに限定されない。フェルール電極１４３２の後端部１４３３は、第２のコネクタ組立体６４０が所定の深さまでアダプタ６５０内に挿入されたとき、後端部がストッパ電極１４３１の上側ベース１４３６Ａおよび下側ベース１４３６Ｂの両方に同時に接触することができるように、実質的に平坦でよい。
【０１０１】
このようにして、閉回路が、前に本明細書に説明した論理回路９９などの論理回路、ケーブル１２３５Ａ，ストッパ電極１４３１、フェルール電極１４３２、およびケーブル１２３５Ｂによって形成される。フェルール電極１４３２の圧縮性により、フェルール電極は、第２のコネクタ組立体１４１０の内側および外側フェルール部分１４１７Ａ、６１７Ｂの後方移動の様々な距離においてストッパ電極１４３１とフェルール電極１４３２との間に維持される導電性結合をもたらすことができる。対照的に、第２のコネクタ組立体６４０がアダプタ６５０内に挿入されないとき、フェルール電極１４３２は、ストッパ電極１４３１から最も離れたその最前方位置にあってよい。このようにして、ストッパ電極１４３１とフェルール電極１４３２とは、論理回路、ケーブル１２３５Ａ、ストッパ電極１４３１、フェルール電極１４３２、およびケーブル１２３５Ｂによって形成された常時閉回路が開いているように、接触しない可能性がある。そのような構成において、論理回路は、回路を閉じたとき電源が投入される接続された電子工学または光電子工学システム、および回路を開いたとき電源が切られる接続された電子工学または光電子工学システムを制御することができる。代替構成において、論理回路は必要とされない可能性があり、ケーブル１２３５Ａ、ストッパ電極１４３１、フェルール電極１４３２、およびケーブル１２３５Ｂは、ストッパ電極１４３１とフェルール電極１４３２との間の接触に基づいて開閉することができる別の回路の一部を形成することができる。
【０１０２】
図１９を参照すると、光学組立体１５００は、光学組立体１５００が、光学組立体の第１および第２のコネクタ組立体の外側フェルール部分６１７Ｂの係合によって生じた第１のコネクタ組立体の外側フェルール部分６１７Ｂの変位により第２のコネクタ組立体６４０がアダプタ６５０内に挿入されたとの指示を提供するために、センサ６３０に加えて、または、図示する例におけるように、その代わりに、センサ１５３０を有する第１のコネクタ組立体１５１０を含むことができることを顕著に除いて、光学組立体６００と実質的に同様でよい。センサ１５３０は、１つまたは複数の締結具、吸着可能磁気素子、またはエポキシなどであるがそれに限定されない化学接着剤によってなどであるがそれに限定されないで、ハウジング６１１の突起６１１Ａの後方側に取り付けることができ、銅線でよいが、それであることに限定されないケーブル１５３５によって論理回路９９などの論理回路に電気的に接続することができる。突起６１１Ａは、アダプタ６５０の刻み目６５１内に延び、嵌合するために、図示するように三角柱の形などの構成にすることができる。このようにして、コネクタ組立体１５１０は、突起６１１Ａの後方側がコネクタ組立体のアダプタからの引き抜けに抵抗するために、刻み目６５１の前向き側に寄り掛かることができるようにアダプタ６５０に取り付けることができる。
【０１０３】
センサ１５３０は、センサ１５３０が圧力センサまたは変位センサでよいが、それであることに限定されない点において、センサ６３０と同じまたは実質的に同様でよい。圧力センサとして、センサ１５３０は、撓み可能ダイアフラムまたは他の周知の力感知手段を含むことができる。センサ６３０と同じように、センサ１５３０は、センサの静止位置のセンサのセンサモジュールから延長可能であり得、プローブが静止位置から引っ込んだ位置に引っ込むように、引き込み可能であり得るプローブ（図示せず）を含むことができ、それにおいて、静止位置のセンサモジュールにおいて受けていないプローブの少なくとも一部分をセンサモジュールにおいて受ける。静止位置において、センサ（および、プローブを有するセンサの場合、センサのプローブ）は、アダプタ６５０の刻み目６５１の前向き側に接触し、またはアダプタ６５０の刻み目６５１の前向き側から離間することができる。他の構成において、この場合もセンサ６３０と同じように、マイクロひずみゲージは、プローブの延長および引き込みの間、ひずみゲージが弾性素子の表面の変形を検知することができるように、プローブを有するセンサのプローブに取り付けた弾性素子に付着させることができ、センサのセンサモジュール内にあり得る。
【０１０４】
図１９の上部と同様に第２のコネクタ組立体６４０がアダプタ６５０内に挿入されないとき、光学組立体６００の構成と同様に、内側フェルール部分６１７Ａの前端部は、ハウジング６１１の隔壁６１２に対してその最前方位置にあってよい。ファイバおよびフェルール組立体６１６が静止位置にあるように、第２のコネクタ組立体６４０が光学組立体１５００のアダプタ６５０内に完全に挿入されたとき、第１および第２のコネクタ組立体１５１０、６４０の外側フェルール部分６１７Ｂの前端部は、それらの対向するファイバおよびフェルール組立体６１６が接触したままであるが、互いから離れる後部方向に向かう傾向があるように、互いに押すことができる。したがって、第１のコネクタ組立体６１０のファイバおよびフェルール組立体６１６の後端部は、ハウジング６１１がストッパ６２３の前方フランジ６２４によって後方に押されるように、後方に押される可能性がある。このようにして、センサ１５３０（および、プローブを有するセンサの場合、センサのプローブ）は、アダプタ６５０の刻み目６５１の前向き側に対して押圧することができる。センサ１５３０が所定の許容差範囲内の力によってそのように押圧されたとき、センサ１５３０は、第２のコネクタ組立体が所定の深さまでアダプタ６５０内に挿入されるように、第２のコネクタ組立体６４０が第１のコネクタ組立体１５１０に対して十分な力を印加したとの指示を提供する信号をケーブル１５３５に沿って生成し、または生成することを停止するためにセンサ６３０の構成のいずれかと同じように動作することができる。第２のコネクタ組立体６４０が所定の深さにないとき、第１のコネクタ組立体１５１０を通る光放出を停止し、損傷を防止し、エネルギーを節約することができる。
【０１０５】
光学組立体１５００の代替構成において、センサ１５３０は、第１のコネクタ組立体１５１０の突起６１１Ａの後方側の代わりに第２のコネクタ組立体のハウジングの突起の後方側に取り付けることができる。このようにして、センサ１５３０は、第２のコネクタ組立体が所定の深さまでアダプタ６５０内に挿入されるように、第２のコネクタ組立体が第１のコネクタ組立体１５１０に対して十分な力を印加したとの指示を提供する信号をケーブル１５３５に沿って生成し、または生成することを停止するためにセンサ６３０の構成のいずれかと同じように動作することができる。
【０１０６】
図２０に示すように、光学組立体１６００は、光学組立体１６００が、光学組立体の第１および第２のコネクタ組立体の外側フェルール部分６１７Ｂの係合によって生じた第１のコネクタ組立体の外側フェルール部分６１７Ｂの変位により、第２のコネクタ組立体６４０がアダプタ６５０内に挿入されたとの指示を提供するために、センサ１５３０なしで第１のコネクタ組立体１６１０を含み、光学組立体のアダプタ６５０に取り付けたセンサ１６３０をさらに含むことができることを顕著に除いて、光学組立体１５００と実質的に同様でよい。センサ１６３０は、センサ１５３０と同じまたは実質的に同様でよい。センサ１６３０は、センサの力感知手段がハウジング６１１の突起６１１Ａの後方側の方を向くように、１つまたは複数の締結具、吸着可能磁気素子、またはエポキシなどであるがそれに限定されない化学接着剤によってなどであるがそれに限定されないで、アダプタ６５０の刻み目６５１の前向き側に取り付けることができる。このようにして、静止位置において、センサ１６３０は、突起６１１Ａの後方側と接触し、または突起６１１Ａの後方側から離間することができる。
【０１０７】
ハウジング６１１が光学組立体１６００のアダプタ６５０内への第２のコネクタ組立体６４０の挿入により後方に押されたとき、突起６１１Ａの後方側は、センサ１６３０に対して押圧することができる。センサ１６３０は、銅線でよいが、それであることに限定されないケーブル１６３５によって論理回路９９などの論理回路に電気的に接続することができる。このようにして、センサ１６３０が所定の許容差範囲内の力によって押圧されたとき、第２のコネクタ組立体が所定の深さまでアダプタ６５０内に挿入されるように、第２のコネクタ組立体６４０が第１のコネクタ組立体１６１０に対して十分な力を印加したとの指示を提供する信号をケーブル１６３５に沿って生成し、または生成することを停止するために、センサ６３０、１５３０のいずれかの構成のいずれかと同じように動作することができる。第２のコネクタ組立体６４０が所定の深さにないとき、第１のコネクタ組立体１６１０を通る光放出を停止し、損傷を防止し、エネルギーを節約することができる。
【０１０８】
光学組立体１６００の代替構成において、センサ１６３０は、第１のコネクタ組立体１６１０を受けるアダプタ６５０の刻み目６５１の前向き側の代わりに第２のコネクタ組立体６４０を受けるアダプタの一側面上の刻み目の前向き側に取り付けることができる。このようにして、センサ１６３０は、第２のコネクタ組立体がアダプタ内に所定の深さまで挿入されるように、第２のコネクタ組立体６４０が第１のコネクタ組立体１６１０に対して十分な力を印加したとの指示を提供する信号をケーブル１６３５に沿って生成し、または生成することを停止するためにセンサ６３０の構成のいずれかと同じように動作することができる。
【０１０９】
センサがセンサモジュールから延長可能なプローブを有する光学組立体１６００の別の代替構成において、センサモジュールは、アダプタの端部上などであるがそれに限定されない、アダプタ６５０（図示せず）の外側に取り付けることができ、それにおいて、プローブは、アダプタを貫通して形成された穴部を通って延長可能である。このようにして、センサのプローブは、センサが、プローブを有するセンサ６３０、１５３０、１６３０の構成のいずれかと同じように動作するように、ハウジング６１１の突起６１１Ａによって押圧することができる。
【０１１０】
図２１、２１Ａ、および２１Ｂを参照すると、光学組立体１７００が、アダプタ１７５０ならびに第１のＬＣコネクタ組立体１７１０および第２のＬＣコネクタ組立体１７４０を含むことができ、それらは、それらのアダプタ内への挿入および光学組立体１５００の第１および第２のコネクタ組立体１５１０、６４０が互いに当接することができるのと実質的に同じように互いへの当接により互いに係合可能であり得る。アダプタ１７５０は、主開口１７５２および主開口の最上部から延びるスロット１７５４を画定することができ、スロットを貫通して延び、アダプタの最上部から主開口と交差する穴部１７５６をさらに画定することができる。第１および第２のＬＣコネクタ組立体１７１０、１７４０の両方は、ハウジング１７１１と、ハウジングから延びるレバー１７１１Ａとを含むことができる。図示するように、レバー１７１１Ａは、ハウジングを破壊することなくレバーがハウジングから分離不能であるように、ハウジング１７１１に統合することができる。レバー１７１１Ａは、第１の軸部１７１２と第２の軸部１７１３とを含むことができ、それにおいて、第１の軸部が第２の軸部をレバーの台に取り付ける。第１の軸部１７１２は、第２の軸部１７１３よりも広くすることができる。このようにして、第１および第２の軸部１７１２、１７１３は、アダプタ１７５０の主開口１７５２内で摺動し、または他の方法で移動することができるが、軸部１７１３だけがスロット１７５４内で摺動し、または他の方法で移動することができる。
【０１１１】
第１のＬＣコネクタ組立体１７１０は、第２のＬＣコネクタ組立体１７４０がアダプタ１７５０内に完全に挿入されたとの指示を提供するために、センサ１５３０と同じまたは実質的に同様でよいセンサ１７３０を含むことができる。センサ１７３０は、センサのプローブがアダプタ１７５０の穴部１７５６の後方部分の方に向くように、レバー１７１１Ａの第１および第２の軸部１７１２、１７１３の交差によって画定された段１７１４に、１つまたは複数の締結具、吸着可能磁気素子、またはエポキシなどであるがそれに限定されない化学接着剤によってなどであるがそれに限定されないで、取り付けることができる。このようにして、静止位置において、センサ１７３０は、穴部１７５６の後方部分に接触し、または穴部１７５６の後方部分から離間することができる。
【０１１２】
ハウジング１７１１が、光学組立体１７００のアダプタ１７５０内への第２のＬＣコネクタ組立体１７４０の挿入により後方に押されたとき、センサ１７３０は、穴部１７５６の後方部分に対して押圧することができる。センサ１７３０は、銅線でよいが、それであることに限定されないケーブル１７３５によって論理回路９９などの論理回路に電気的に接続することができる。このようにして、センサ１７３０が所定の許容差範囲内の力によって押圧されたとき、第２のコネクタ組立体がアダプタ１７５０内に所定の深さまで挿入されるように、第２のＬＣコネクタ組立体１７４０が第１のコネクタ組立体１７１０に対して十分な力を印加したとの指示を提供する信号をケーブル１７３５に沿って生成し、または生成することを停止するために、センサ１７３０は、センサ６３０、１５３０、１６３０の構成のいずれかと同じように動作することができる。第２のＬＣコネクタ組立体１７４０が所定の深さにないとき、第１のＬＣコネクタ組立体１７１０を通る光放出を停止し、損傷を防止し、エネルギーを節約することができる。
【０１１３】
図２２および２２Ａを参照すると、光学組立体１８００は、光学組立体１８００が、第２のＬＣコネクタ組立体１７４０がアダプタ１８５０内に挿入されたとの指示を提供するために、センサ１７３０なしで第１のＬＣコネクタ組立体１８１０を含むことができ、光学組立体のアダプタ１８５０に取り付けたセンサ１８３０をさらに含むことができることを顕著に除いて、光学組立体１７００と実質的に同様でよい。アダプタ１８５０は、図２２に最もよく示すように、アダプタ１７５０の穴部１７５６と実質的に同じである穴部１８５６から後部方向に、および図２２Ａに最もよく示すように、スロット１８５４から横方向に延びる刻み目１８５１をアダプタが画定することができることを除いて、アダプタ１７５０と実質的に同じでよい。センサ１８３０は、センサ１７３０と同じまたは実質的に同様でよい。センサ１８３０は、センサの力感知手段がアダプタの穴部１８５６に、またはアダプタの穴部１８５６内にあり、前方方向に向くように、１つまたは複数の締結具、吸着可能磁気素子、またはエポキシなどであるがそれに限定されない化学接着剤によってなどであるがそれに限定されないで、アダプタ１８５０に、アダプタの刻み目１８５１内においておよびアダプタの刻み目１８５１に対して取り付けることができる。このようにして、静止位置において、センサ１８３０は、レバー１７１１Ａの第１および第２の軸部１７１２、１７１３の交差によって画定された段１７１４に接触し、または段１７１４から離間することができる。
【０１１４】
ハウジング１７１１が光学組立体１８００のアダプタ１８５０内への第２のＬＣコネクタ組立体１７４０の挿入により後方に押されたとき、段１７１４をセンサ１８３０に対して押圧することができる。センサ１８３０は、銅線でよいが、それであることに限定されないケーブル１８３５によって論理回路９９などの論理回路に電気的に接続することができる。このようにして、センサ１８３０は、センサ１８３０が所定の許容差範囲内の力によって押圧されたとき、第２のコネクタ組立体がアダプタ１８５０内に所定の深さまで挿入されるように、第２のＬＣコネクタ組立体１７４０が第１のコネクタ組立体１８１０に対して十分な力を印加したとの指示を提供する信号をケーブル１８３５に沿って生成し、または生成することを停止するために、センサ６３０、１５３０、１６３０、１７３０のいずれかの構成のいずれかと同じように動作することができる。第２のＬＣコネクタ組立体１７４０が所定の深さにないとき、第１のＬＣコネクタ組立体１８１０を通る光放出を停止し、損傷を防止し、エネルギーを節約することができる。
【０１１５】
図２３を参照すると、光学組立体１９００は、光学組立体１９００がハウジング１７１１の代わりに本体１９１１およびレバー１９１１Ａならびに本体１９１１とレバー１９１１Ａの前端部１９１２Ａとの間に取り付けたセンサ１９３０を有する第１のＬＣコネクタ組立体１９１０を含むことができることを顕著に除いて、光学組立体１７００と実質的に同様でよい。図示するように、レバー１９１１Ａは、本体に対して蝶番ピン１９１５を中心としてレバーが回転することが可能になるように蝶番ピン１９１５によって本体１９１１に取り付けることができる。
【０１１６】
第１のＬＣコネクタ組立体１９１０の本体１９１１が光学組立体１９００のアダプタ１７５０内への第２のＬＣコネクタ組立体１７４０の挿入により後方に押されたとき、蝶番ピンを中心としてトルクを生み出すために穴部１７５６の後方部分によってレバー１９１１Ａの段１９１４に対して印加された力により、前端部１９１２Ａがセンサ１９３０に対して押圧することができるように、センサ１９３０は、蝶番ピン１９１５の前方にあることができる。センサ１９３０は、銅線でよいが、それであることに限定されないケーブル１９３５によって論理回路９９などの論理回路に電気的に接続することができる。このようにして、センサ１９３０が所定の許容差範囲内の力によって押圧されたとき、センサ１９３０は、第２のコネクタ組立体がアダプタ１７５０内に所定の深さまで挿入されるように、第２のＬＣコネクタ組立体１７４０が第１のコネクタ組立体１９１０に対して十分な力を印加したとの指示を提供する信号をケーブル１９３５に沿って生成し、または生成することを停止するために、センサ６３０、１５３０、１６３０、１７３０、１８３０のいずれかの構成のいずれかと同じように動作することができる。第２のＬＣコネクタ組立体１７４０が所定の深さにないとき、第１のＬＣコネクタ組立体１９１０を通る光放出を停止し、損傷を防止し、エネルギーを節約することができる。
【０１１７】
図２４を参照すると、光学組立体２０００は、本体２０１１およびレバー２０１１Ａのいずれかを破壊することなくレバーが本体から分離不能であるように、レバー２０１１Ａを第１のＬＣコネクタ組立体２０１０の本体２０１１に統合することができることを顕著に除いて、光学組立体１９００と実質的に同様でよい。光学組立体１９００の動作と実質的に同様のやり方で、第１のＬＣコネクタ組立体２０１０の本体２０１１が光学組立体２０００のアダプタ１７５０内への第２のＬＣコネクタ組立体１７４０の挿入により後方に押されたとき、レバー２０１１Ａと本体２０１１との接合部分の周りでレバー２０１１Ａの段２０１４に対して穴部１７５６の後方部分によって印加された力により、レバー２０１１Ａの前端部２０１２Ａをセンサ１９３０に対して押圧することができる。
【０１１８】
図２５を参照し、本明細書に開示する検知システムは、スイッチもしくはセンサの作動によるか、または２つの電極間などの導電性接触によるかどうかにかかわらず、コネクタインターフェース、例えば、コネクタ組立体２１０３を有する印刷回路基板２１０２を含むラインカード２１０１などのネットワークまたはサーバ機器とともに利用することができる。この例において、ラインカード２１０１は、コネクタ組立体内に挿入された対応する外部コネクタの存在を検知することができるスイッチ、センサ、またはコネクタ組立体２１０３上の導電性接点のうちのいずれかを含むことができる。このようにして、コネクタ組立体２１０３は、外部コネクタがコネクタ組立体内に挿入されないとき、光を放出することを停止し、または代替構成において、光を能動的に放出することができる。
【０１１９】
本明細書に開示した技術は、データに対応する光信号を伝達するそれぞれの光ファイバ、またはデータに対応する電気信号を伝達する導電性素子を保持するための光または電気信号伝達コネクタを含むがそれに限定されないいくつかの種類のエネルギー伝達コネクタに採用することができることを理解されたい。光信号伝達コネクタは、ＬＣ、ＳＣ、ＭＰＯ、ＭＴＰ、ＦＣ、ＳＴ、およびＭＵコネクタでよいがそれらであることに限定されない。一般的な例として、本技術は、前に本明細書に説明した外側および内側フェルール部分などのファイバフェルールおよびフェルールホルダ、前に本明細書に説明した弾性素子などのばねまたは他の弾性素子、前に本明細書に説明したハウジングなどのハウジング、ならびに前に本明細書に説明した弾性ストッパ素子などのばねストッパを含むコネクタに対して使用することができる。
【０１２０】
本明細書に記載した開示は、具体的に本明細書に開示したかどうかにかかわらず、上記の特定の特徴の任意の可能な組合せを含むことをさらに理解されたい。例えば、特定の特徴が特定の態様、配列、構成、または実施形態の文脈で開示される場合、本技術の他の特定の態様、配列、構成、および実施形態との組合せで、および／またはそれらの文脈で、ならびに一般に本技術において、その特徴を可能な限り使用することもできる。
【０１２１】
さらに、本明細書における本技術を特定の特徴を参照して説明してきたが、これらの特徴は、単に本技術の原理および適用例を例示するに過ぎないことを理解されたい。したがって、本明細書に説明した様々な特徴のサイズの変更を含む数多くの変更を例示的な実施形態に加えることができること、および本技術の精神および範囲から逸脱することなく他の配列を考案することができることを理解されたい。この点において、本技術は、以下の段落に記載する具体的な特徴に加えて、数多くの追加の特徴を包含する。さらに、上述の開示は、本技術が以下に記載する特許請求の範囲によって定義されるとき、限定によるのではなく、例示によるものと解釈すべきである。
【図１】
2018525663.tif 000003
【図２】
2018525663.tif 000004
【図３】
2018525663.tif 000005
【図４】
2018525663.tif 000006
【図５】
2018525663.tif 000007
【図６】
2018525663.tif 000008
【図７】
2018525663.tif 000009
【図８】
2018525663.tif 000010
【図９】
2018525663.tif 000011
【図１０Ａ】
2018525663.tif 000012
【図１０Ｂ】
2018525663.tif 000013
【図１１】
2018525663.tif 000014
【図１２Ａ】
2018525663.tif 000015
【図１２Ｂ】
2018525663.tif 000016
【図１２Ｃ】
2018525663.tif 000017
【図１３】
2018525663.tif 000018
【図１４】
2018525663.tif 000019
【図１５】
2018525663.tif 000020
【図１６】
2018525663.tif 000021
【図１７】
2018525663.tif 000022
【図１８】
2018525663.tif 000023
【図１９】
2018525663.tif 000024
【図２０】
2018525663.tif 000025
【図２１】
2018525663.tif 000026
【図２１Ａ】
2018525663.tif 000027
【図２１Ｂ】
2018525663.tif 000028
【図２２】
2018525663.tif 000029
【図２２Ａ】
2018525663.tif 000030
【図２３】
2018525663.tif 000031
【図２４】
2018525663.tif 000032
【図２５】
2018525663.tif 000033
【国際調査報告】
2018525663.tif 000034
2018525663.tif 000035
2018525663.tif 000036